(57)【特許請求の範囲】
【請求項１】
機枠に左側を軸として開閉可能に設けられた前面枠に交換可能に取り付けられ、遊技球が流下する遊技領域を形成し、前記前面枠の前面側に対して開閉可能に取り付けられた透明部材保持枠に保持される透明部材により前記遊技領域の前方が覆われる遊技盤と、遊技球を排出する球排出装置と、該球排出装置が排出した遊技球を貯留する貯留皿を設け、前記前面枠に開閉可能な状態で取り付けられた貯留皿ユニットと、を備える遊技機において、
前記前面枠は、開放側である右側に位置する部分に、上縁が前記透明部材保持枠の下縁まで延出された延出部を有し、
該延出部には、前記遊技領域に向けて遊技球を発射する発射装置により発射される遊技球の発射勢を調整する発射操作手段を取り付け、
前記遊技盤には、識別情報を可変表示する可変表示ゲームを行う表示装置を備え、
前記貯留皿ユニットは、前記貯留皿の上面前方に遊技者が上方から操作可能な外部操作部と、当該貯留皿ユニットの開放側に設けられて前記前面枠に係止可能な係止爪を操作可能な係止爪操作部と、を設け、
前記係止爪操作部は、前記貯留皿より上方に位置し、前記透明部材保持枠を開状態にすると出現して操作可能となり、該係止爪操作部の操作によって前記前面枠と前記係止爪の係止を解除可能とし、
前記外部操作部は、遊技者が上方から下方へ押圧操作することにより当該外部操作部への操作を検出し、
前記可変表示ゲームでリーチが成立した後に前記外部操作部が操作されると、可変表示している識別情報を停止させる表示を行うことを特徴とする遊技機。
【発明の詳細な説明】
【技術分野】
【０００１】
本発明は、貸し球スイッチユニットの操作部を操作すると球排出装置が作動して球貯留部に遊技球が排出されるパチンコ機などの遊技機に関する。
【背景技術】
【０００２】
従来の遊技機、例えばプリペイドカード式パチンコ遊技機においては、貸し球操作釦を上皿と呼ばれている球供給皿の一部に設け、遊技者は、球供給皿内の遊技球が不足したり、あるいは遊技を開始する際に、貸し球操作釦を操作することにより遊技球が球貯留皿に排出されるように構成されていた。
そして、貸し球操作釦は取付ベースに取り付けられ、この取付ベースを球供給皿にねじで止着する構成であった。
【先行技術文献】
【特許文献】
【０００３】
【特許文献１】特開平５−１５６５９号公報（図６）
【発明の概要】
【発明が解決しようとする課題】
【０００４】
ところで、上記特許文献に記載された遊技機は、表示装置で識別情報を可変表示する可変表示ゲームを行うものではなく、遊技者による操作部の操作により可変表示している識別情報を停止させる表示を行うものでもなかった。
【０００５】
本発明は上記に鑑み提案されたもので、その目的は、表示装置で識別情報を可変表示する可変表示ゲームを行い、遊技者が操作部を操作することにより、可変表示している識別情報を停止させる表示を行う遊技機を提供しようとするものである。
【課題を解決するための手段】
【０００６】
本発明は、上記に鑑み提案されたものであり、請求項１に記載のものは、機枠に左側を軸として開閉可能に設けられた前面枠に交換可能に取り付けられ、遊技球が流下する遊技領域を形成し、前記前面枠の前面側に対して開閉可能に取り付けられた透明部材保持枠に保持される透明部材により前記遊技領域の前方が覆われる遊技盤と、遊技球を排出する球排出装置と、該球排出装置が排出した遊技球を貯留する貯留皿を設け、前記前面枠に開閉可能な状態で取り付けられた貯留皿ユニットと、を備える遊技機において、
前記前面枠は、開放側である右側に位置する部分に、上縁が前記透明部材保持枠の下縁まで延出された延出部を有し、
該延出部には、前記遊技領域に向けて遊技球を発射する発射装置により発射される遊技球の発射勢を調整する発射操作手段を取り付け、
前記遊技盤には、識別情報を可変表示する可変表示ゲームを行う表示装置を備え、
前記貯留皿ユニットは、前記貯留皿の上面前方に遊技者が上方から操作可能な外部操作部と、当該貯留皿ユニットの開放側に設けられて前記前面枠に係止可能な係止爪を操作可能な係止爪操作部と、を設け、
前記係止爪操作部は、前記貯留皿より上方に位置し、前記透明部材保持枠を開状態にすると出現して操作可能となり、該係止爪操作部の操作によって前記前面枠と前記係止爪の係止を解除可能とし、
前記外部操作部は、遊技者が上方から下方へ押圧操作することにより当該外部操作部への操作を検出し、
前記可変表示ゲームでリーチが成立した後に前記外部操作部が操作されると、可変表示している識別情報を停止させる表示を行うことを特徴とする遊技機である。
【発明の効果】
【０００７】
本発明によれば、表示装置で識別情報を可変表示する可変表示ゲームを行い、遊技者が操作部を操作することにより、可変表示している識別情報を停止させる表示を行うことができる。
【図面の簡単な説明】
【０００８】
【図１】パチンコ機の正面図である。
【図２】透明部材保持枠と開閉パネルを開放して遊技盤が遊技盤収納部から外れた状態におけるパチンコ機の斜視図である。
【図３】透明部材保持枠開放して遊技盤を遊技盤収納部に装着する直前の状態におけるパチンコ機の斜視図である。
【図４】透明部材保持枠開放して遊技盤を遊技盤収納部に装着した状態におけるパチンコ機の斜視図である。
【図５】パチンコ機の背面図である。
【図６】透明部材保持枠と開閉パネルを開放した状態におけるパチンコ機の下部の拡大斜視図である。
【図７】内枠を開いた状態におけるパチンコ機の斜視図である。
【図８】透明部材保持枠と上皿ユニットと下皿ユニットと内枠の分解斜視図である。
【図９】外枠の斜視図である。
【図１０】外枠の分解斜視図である。
【図１１】外枠の背面図である。
【図１２】内枠の斜視図である。
【図１３】内枠の背面図である。
【図１４−１】内枠の分解斜視図である。
【図１４−２】内枠の裏面に施錠ユニットを取り付ける状態を示す内枠の裏側から見た斜視図である。
【図１４−３】施錠ユニットを透明部材保持枠用施錠ユニットと内枠用施錠ユニットに分けた状態における斜視図である。
【図１５】内枠の後方から見た斜視図である。
【図１６】（ａ）は流路形成部材の背面図、（ｂ）は流路形成部材の後方からの斜視図である。
【図１７】裏流路構成ユニットの前方からの斜視図である。
【図１８】裏流路構成ユニットの後方からの斜視図である。
【図１９】裏流路構成ユニットの前方から見た分解斜視図である。
【図２０】裏流路構成ユニットの後方から見た分解斜視図である。
【図２１】上皿ユニットの上皿球出口における断面図である。
【図２２】制御装置アッセンブリーの分解斜視図である。
【図２３】（ａ）は遊技盤係止手段の前方からの斜視図、（ｂ）は遊技盤係止手段の後方からの斜視図である。
【図２４】遊技盤係止手段を取り付ける状態を示す後方からの斜視図である。
【図２５】遊技盤係止手段を取り付ける遊技盤収納部の前方からの斜視図である。
【図２６】遊技盤係止手段を取り付けた遊技盤収納部の裏側から見た斜視図である。
【図２７】遊技盤係止手段を取り付けた遊技盤収納部の内部の斜視図である。
【図２８】遊技盤固定手段の遊技盤固定解除状態における斜視図である。
【図２９】遊技盤固定手段の遊技盤固定状態における斜視図である。
【図３０】遊技盤固定手段の分解斜視図である。
【図３１】（ａ）は遊技盤固定手段の遊技盤固定状態における斜視図、（ｂ）は遊技盤固定解除状態における斜視図である。
【図３２】遊技盤固定手段の取り付けを示す斜視図である。
【図３３】遊技盤固定手段を取り付けた状態を示す斜視図である。
【図３４】（ａ）は遊技盤係止手段を取り付けた部分の断面図、（ｂ）は遊技盤係止手段を取り付けた部分の正面図である。
【図３５】（ａ）は遊技盤係止手段に遊技盤の一側を引っ掛けた状態を示す断面図、（ｂ）は遊技盤係止手段に遊技盤の一側を係止して後方に押圧した状態を示す断面図である。
【図３６】遊技盤係止手段により遊技盤を係止した状態における断面図である。
【図３７】透明部材保持枠の斜視図である。
【図３８】透明部材保持枠の背面図である。
【図３９】透明部材保持枠の分解斜視図である。
【図４０】保持枠本体の後方から見た斜視図である。
【図４１】透明部材保持枠の一側（左側）部分の断面図である。
【図４２】貸し球スイッチユニットの正面図である。
【図４３】貸し球スイッチユニットの斜視図である。
【図４４】貸し球スイッチユニットの分解斜視図である。
【図４５】（ａ）はケース本体の斜視図、（ｂ）は裏蓋部材の斜視図、（ｃ）はケース本体と裏蓋部材を組み付けた貸し球スイッチユニットの斜視図である。
【図４６】（ａ）は裏蓋部材にケース本体を被せる直前の状態を示す説明図、（ｂ）は裏蓋部材の係合部をケース本体の係合受部に係合した状態を示す説明図である。
【図４７】（ａ）は裏蓋部材の係合部をケース本体の係合受部に係合して被せる状態を示す説明図、（ｂ）は裏蓋部材にケース本体を組み付けた状態を示す説明図である。
【図４８】保持枠本体に貸し球スイッチユニットを取り付けようとしている状態を示す斜視図である。
【図４９】保持枠本体のユニット収納室内に貸し球スイッチユニットの一端を差し込んだ状態を示すユニット収納室近傍の斜視図である。
【図５０】（ａ）は保持枠本体のユニット収納室内に貸し球スイッチユニットの一端を差し込んだ状態を示すユニット収納室近傍の正面図、（ｂ）は（ａ）に示す状態の断面図である。
【図５１】（ａ）は保持枠本体のユニット収納室内に貸し球スイッチユニットの一端を差し込んだ状態を示すユニット収納室近傍の正面図、（ｂ）は保持枠本体のユニット収納室内に貸し球スイッチユニットの他端を押し入れる状態を示すユニット収納室近傍の正面図、（ｂ）はユニット収納室内に貸し球スイッチユニットの他端を押し入れた状態を示すユニット収納室近傍の断面図である。
【図５２】ユニット収納室内に貸し球スイッチユニットを組み込んだ状態を示す保持枠本体の下部の斜視図である。
【図５３】上皿ユニットの斜視図である。
【図５４】上皿ユニットの斜め前方から見た分解斜視図である。
【図５５】上皿ユニットの斜め後方から見た分解斜視図である。
【図５６】上皿ユニットの斜め後方から見た斜視図である。
【図５７】外部操作部の分解斜視図である。
【図５８】（ａ）押しボタンの裏側から見た斜視図、（ｂ）は外部操作ベースの斜視図である。
【図５９】下皿ユニットの斜め前方から見た分解斜視図である。
【図６０】下皿ユニットの斜め後方から見た斜視図である。
【図６１】球送り部材の球受入空部内に遊技球を受け入れた状態における球案内流路近傍の断面図である。
【図６２】球送り部材の待機面に遊技球が当たって待機している状態における球案内流路近傍の断面図である。
【図６３】発射装置の前方から見た斜視図である。
【図６４】発射装置の前方から見た分解斜視図である。
【図６５】発射装置の後方から見た分解斜視図である。
【図６６】発射杵の杵先が遊技球発射位置から離隔した状態における発射装置及び球送り装置の正面図である。
【図６７】図５０に示す状態における発射装置の背面図である。
【図６８】発射杵が遊技球を発射して球送り部材が次の遊技球を発射レール上に供給した状態における発射装置及び球送り装置の正面図である。
【図６９】図５２に示す状態における発射装置の背面図である。
【図７０】球送り装置のカバー本体の前方からの斜視図である。
【図７１】球送り装置のカバー本体の後方からの斜視図である。
【図７２】球送り部材の前方からの斜視図である。
【図７３】球送り部材の後方からの斜視図である。
【発明を実施するための形態】
【０００９】
以下、本発明の最良の実施形態を図面に基づいて説明する。
図１は代表的な遊技機であるカードユニット付パチンコ機の斜視図、図２はガラス枠及び上皿ユニットを開いた状態におけるパチンコ機の斜視図、図３は遊技盤を取り外した状態におけるパチンコ機の斜視図、図４は内枠を開いた状態におけるパチンコ機の斜視図、図５はパチンコ機の背面図である。
【００１０】
本実施形態に示すパチンコ機１は、図１から図８に示すように、外枠（機枠あるいは本体枠）２に、大きな開口部を有する額縁状の内枠３（前面枠）の一側（図中左側）を開閉可能に取り付け、この内枠３の遊技盤収納部４内に遊技盤５を交換可能な状態で取り付け、遊技盤５の表面には、表示装置、大入賞口、一般入賞口、アウト口（図示せず）などを配設した遊技領域６をガイドレールなどの区画部材７により区画することで形成している。また、内枠３の前面には、一側（図中左側）が軸着された透明部材保持枠８（ガラス枠）を回動可能に設け、該透明部材保持枠８に透視可能な透明部材（ガラス板）を収納して、遊技領域６を前方から透視可能な状態で覆い、透明部材保持枠８の下方に上皿ユニット１０と下皿ユニット１１とを上下に並べて備え、上皿ユニット１０と下皿ユニット１１との間にスピーカーユニット１２を配設している。そして、このパチンコ機１は、カードユニット９のカード挿入口９ａにプリペイドカード等の記憶媒体（遊技価値が記憶されている）を挿入し、透明部材保持枠８の下部に設けられた球貸用操作釦８０１ａを操作すると、パチンコ機１の内部に設けられた球排出装置が作動して遊技球が上皿ユニット１０に排出されるとともに記憶媒体の記憶内容が書き換えられ、返却用操作釦８０１ｂを操作するとカードユニット９内の記憶媒体がカード挿入口９ａから返却される。なお、貸し球用操作釦８０１ａ、返却用操作釦８０１ｂについては後で詳説する。
【００１１】
外枠２は、図９から図１１に示すように、上横材１６ａと左右の縦材１６ｂ，１６ｃと下横材１６ｄを組み合わせて前後が開放した縦長長方形の枠体とし、この枠体の前面開口下部に横長な幕板１７を固定して補強し、また一側（左側）の上端と幕板１７の一端に、ヒンジを一体に設けた補強金具(ヒンジ金具）１８ａ，１８ｂを取り付けるとともに、内側の四隅にも金属製補強金具１９を取り付けて補強し、上記ヒンジとは反対側に位置する右縦材１６ｃの内面には、内枠を施錠する際の受金具１６ｅ，１６ｅを上下２箇所設けてある。なお、幕板１７は、強固な木材１７ａの前面にプラスチック製の装飾板１７ｂを添設することにより装飾性を高め、装飾板１７ｂの上端に、上端が前方に屈曲した不正防止壁１７ｃを立設するとともに、プラスチック製内枠３の下端に設けた金属製摺動金具２０ａが摺動する摺動面２０ｂを形成してある。
【００１２】
内枠３は、図１２から図１５に示すように、開口部を有する額縁状の内枠本体２１の裏面側に、遊技盤収納部４を一体成型するとともに、遊技盤収納部４の下部に遊技盤載置台１３を一体成型した大きな合成樹脂製の枠体であり、遊技盤載置台１３の上面に遊技盤５を載置した状態で遊技盤収納部４内に収納し、遊技盤収納部４の壁に設けた止着金具である遊技盤係止手段３０１と遊技盤固定手段３０２とにより遊技盤５を着脱可能な状態で止着することができるように概略構成されている。そして、この内枠３の裏面の上部には、球排出系アッセンブリー２３を、下部裏面には裏流路構成ユニット２４を、該裏流路構成ユニット２４の背面には制御装置アッセンブリー２５をそれぞれ取り付け、最下位置には、ファール球回収口１５から回収したファール球や球流下路の途中でオーバーフローした遊技球を下皿に向けて案内するシュート流路部材２６などを取り付けてある。
【００１３】
まず、内枠本体２１について説明する。この内枠本体２１は、横長な上横部材２１ａと縦長な左右の縦部材２１ｂ，２１ｃと横長な下横部材２１ｄとを四角形に一体成型した額縁状の枠体であり、透明部材保持枠８と上皿ユニット１０を軸着する一側（左側）の縦部材２１ｂの前面には透明部材保持枠８や上皿ユニット１０を開動作したときの干渉を回避すると共にピアノ線等の不正部材の浸入を防止するために断面略円弧状の縦長な凹部３０３を形成し、他側（右側）の縦部材２１ｃの前面には後述する施錠ユニット３０４の透明部材保持枠用フック３０５を貫通する開口部３０６を開設してある。
【００１４】
また、内枠本体の一側（左側）の上端と下端に、内枠３を外枠２に軸着するためのヒンジ金具１８ａ，１８ｂを取り付け、上端のヒンジ金具１８ａの少し下方に透明部材保持枠８の上部を軸着するためのヒンジ金具３０７を取り付け、遊技盤載置台１３の上端に形成した遊技盤載置面３０８よりも少し下方に透明部材保持枠８の下部と上皿ユニット１０（開閉パネル）の上部を軸着するためのヒンジ金具３０９を取り付け、下横部材２１ｄの上面と同様の高さに上皿ユニット１０の下部を軸着するためのヒンジ金具３１０を取り付ける。
【００１５】
なお、ヒンジ金具３０９とヒンジ金具３１０は、縦長な金属板の上端部分と下端部分をそれぞれ前方に屈曲することにより一体成形されている。そして、透明部材保持枠８や上皿ユニット１０（開閉パネル）を軸着するための各ヒンジ金具の軸或いは軸孔の位置は、凹部３０３の円弧曲面の中心或いは中心よりも少し前方に位置させる。また、上横部材２１ａの前面には、透明部材保持枠８が開放されたことを検出するスイッチなどを設けるための凹部３１１が形成されている。さらにまた、上横部材２１ａの上端縁から上横部材２１ａの前面よりも突出した状態で不正防止壁３１２を突設するとともに、軸着側とは反対の自由端側（右側）の縦部材（右縦部材）２１ｃの外側縁から縦部材２１ｃの前面よりも突出した状態で不正防止壁３１３を突設し、透明部材保持枠８を閉じると透明部材保持枠８の上後端縁と右後端縁がいずれも不正防止壁３１２，３１３の内側に入り込むように構成してある。
【００１６】
この様に構成すると、透明部材保持枠８の上端と内枠３との隙間や透明部材保持枠８の右端と内枠３との隙間からピアノ線等の不正部材の浸入を防止することができ、不正行為を未然に防止できる。また、内枠本体２１の横部材２１ａや縦部材２１ｃの前面に、その長手方向に溝３１４を形成し、透明部材保持枠８の裏側に不正防止壁を後方に向けて立設し、この不正防止壁を上記溝３１４内に嵌合するように構成すると、不正行為を一層確実に防止することができる。
【００１７】
また、内枠本体２１の他側（右側）の縦部材２１ｃの裏面には、図１４−１から図１４−３に示すように、透明部材保持枠８を内枠３に対して閉じた状態で施錠する縦長な金属製透明部材保持枠用施錠ユニット３０４ａを取り付けるとともに、この透明部材保持枠用施錠ユニット３０４ａに重合した状態で、内枠３を外枠２に対して閉じた状態で施錠する縦長な金属製内枠用施錠ユニット３０４ｂを取り付ける。この施錠ユニット３０４は、内枠用施錠ユニット３０４ｂの下部にシリンダー錠３１５を固定し、該シリンダー錠３１５の先端面の鍵穴を内枠３の前面に露出し、このシリンダー錠３１５の鍵穴に鍵を差し込んで一方に回動すると、シリンダー錠３１５の後方に突出した回動部３１５ａの偏心ピンが内枠用施錠ユニット３０４ｂの解錠操作伝達機構に作用し、これにより内枠用施錠ユニット３０４ｂの上部と下部に後向きに突設したフック３１６が先端を上昇する方向に回動して外枠２の受金具１６ｅから外れて解錠することができる。一方、鍵を他方に回動すると、シリンダー錠３１５の後方に突出した回動部３１５ａの偏心ピンが反対方向に回動して内枠用施錠ユニット３０４ｂの解錠操作伝達機構が解除レバー３０４ｃに作用し、この解除レバー３０４ｃの動き（解除動作力）を透明部材保持枠用施錠ユニット３０４ａの解錠操作伝達機構に伝達し、これにより透明部材保持枠用施錠ユニット３０４ａの上部２箇所と下部１箇所に前方に向けて突設したフック３０５が先端を下降する方向に回動して透明部材保持枠８の受金具８ａから外れて解錠できる。なお、内枠３を開いた状態で透明部材保持枠８の解錠する場合には、透明部材保持枠用施錠ユニット３０４ａから後方に突出した解除レバー３０４ｃを手動操作することによっても解錠することができる。
【００１８】
そして、施錠する場合には、内枠３を外枠２側に手で押圧すると、傾斜摺動辺を有するフック３１６がスプリング（図示せず）の付勢に抗して回動して外枠２の受金具１６ｅと係合して施錠でき、また、透明部材保持枠８を内枠３側に手で押圧すると、傾斜摺動辺を有するフック３０５がスプリング（図示せず）の付勢に抗して回動して透明部材保持枠８の受金具８ａと係合して施錠できる。また、施錠ユニット３０４は金属製なので、合成樹脂製内枠３の補強材としても機能している。
【００１９】
前記したように、内枠本体２１の他側（右側）の縦部材２１ｃの裏面に、透明部材保持枠用施錠ユニット３０４ａと内枠用施錠ユニット３０４ｂとを重ねた状態で取り付けると、内枠３の裏側からの取付作業だけで済むので、従前のように、内枠の表側からの取付作業が不要である。したがって、施錠ユニットの取付作業の容易化を図ることができる。
【００２０】
遊技盤収納部４は、内枠本体２１と一体成型する。具体的には、内枠本体２１の上横部材２１ａの下面、左右の縦部材２１ｂ，２１ｃの内側の面をそれぞれ後方に向けて延出して上横部材２１ａに連続した上壁４０１を、左右の縦部材２１ｂ，２１ｃに連続した側壁４０２，４０３を一体成型するとともに、左右の縦部材２１ｂ，２１ｃの内側の面の下部及び下横材２１ｄの上面の後退した位置に遊技盤載置台１３を一体成型し、また、この遊技盤載置台１３の上面に形成した遊技盤載置面３０８の後端と上記上壁４０１の後端と側壁４０２，４０３の後端のそれぞれから中央に延出して中央部分が開口した後壁４０４を形成し、これら上壁４０１と側壁４０２，４０３と後壁４０４と遊技盤載置面３０８により前面が開口した枠状の遊技盤収納部４を内枠本体２１と一体成型する。そして、遊技盤収納部４の一側方（本実施形態では左側の側壁４０２）に遊技盤収納部４に収納された遊技盤の一側部を係止可能な遊技盤係止手段３０１を上下２箇所設けると共に、前記遊技盤収納部４の他側方（本実施形態では右側の側壁４０３）に遊技盤５の他側部を固定可能な遊技盤固定手段３０２を下部に１箇所設け、上壁４０１にも遊技盤固定手段３０２を設ける。なお、遊技盤係止手段３０１と遊技盤固定手段３０２については、後で詳述する。
【００２１】
遊技盤載置台１３は、内枠３の遊技盤収納部４の左右の側壁４０２，４０３の下部の間を接続するようにして前面壁部４０５を下横材２１ｄの上面の後退した位置から起立した状態で一体成型すると共に、該前面壁部４０５の上端を後方に向けて遊技盤５の板厚と同様の前後幅を有する遊技盤載置面３０８を一体に形成したものである。そして、前記前面壁部４０５の上部一側（左側）寄りに上皿ユニット１０へ遊技球を案内する接続樋３４用の開口部４０６を開設し、該開口部４０６の下方に、球回収流路の底部となる棚部４０７を一側から他側に向けて下り傾斜させた状態で途中に段部を形成して左右幅のほぼ中央までの長さで一体に形成し、該棚部４０７の傾斜下端に臨む床面に球落下開口部４０８を開設し、前記前面壁部４０５の上部他側（右側）寄りに、他側から一側に向けて下り傾斜した棚部４０９を左右幅のほぼ中央までの長さで一体に形成し、この棚部４０９の下方に庇部４１０を突設し、この庇部４１０の下方に発射装置１４を前面壁部４０５を貫通した状態で取り付ける発射装置取付開口部４１１を開設する（図１４）。
【００２２】
また、前面壁部４０５の左半に流路形成部材４１２を前方から取り付ける。この流路形成部材４１２は、図１６に示すように、略台形の合成樹脂製板材であり、前面壁部４０５に対してほぼ平行に延在する板部４１３の一側（左側）寄りに前記接続樋３４が挿入可能な接続樋用開口部４１４を開設し、この接続樋用開口部４１４の上方の裏面にこぼれ球受部となる棚部４１５を一側（左側）に向けて下り傾斜した状態で後方に向けて、当該流路形成部材４１２の左端部手前まで突設し、この棚部４１５の傾斜下端から下方に向けて壁部４１６を形成してある。また、前記棚部４１５の傾斜上端部分から他側に向けて下り傾斜した状態でファール球回収路の一部となる第１棚部４１７を後方に向けて板部４１３の裏面に突設し、この第１棚部４１７の傾斜下端から球径以上の間隔を空けて反対側（一側）に向けて下り傾斜した状態で、ファール球回収路の一部となる第２棚部４１８を後方に向けて突設してある。
【００２３】
したがって、後方に向けて突設した取付爪４１９を遊技盤載置台１３の前面壁部４０５に開設された取付孔内に係合して流路形成部材４１２を前面壁部４０５の所定位置に取り付けると、前記壁部４１６と前記棚部４１５と流路形成部材４１２の板部４１３とによりこぼれ球回収路４２０が区画形成でき、当該こぼれ球回収路４２０の下端出口が前記球回収流路４２１の棚部４０７の傾斜上端部分に臨んで球回収流路４２１に連通する。このため、上皿ユニット１０を開いた際にこぼれた遊技球を棚部４１５上に受け止めて、こぼれ球回収路４２０を介して前記球回収流路４２１に回収することができ、この球回収流路４２１の遊技球は球落下開口部４０８から落下して下皿ユニット１１に排出される。また、流路形成部材４１２を遊技盤載置台１３の前面壁部４０５に取り付けると、第１棚部４１７の傾斜上端と発射レール１０１の傾斜上端との間がファール球回収口１５となり、また、第２棚部４１８の傾斜下端が球回収流路４２１の底部の上方に球径以上の間隔を空けて位置する。したがって、ファール球回収口１５にファール球が入ると、このファール球は、第１棚４１７部から第２棚部４１８上を流下し、球回収流路４２１内に流れ込んで、前記したこぼれ球と同様に下皿ユニット１１の下皿に排出される。
【００２４】
この様に、本実施形態では、遊技盤載置台１３の前面壁部４０５に球回収流路４２１の底部となる棚部４０７を突設し、板材４１３の裏面に流路の底部となる棚部４１５，４１７，４１８を一体成型した流路形成部材４１２を前面壁部４０５に前方から取り付けるだけでファール球回収路やこぼれ球回収路４２０を簡単な構造で容易に形成することができる。
また、流路の底部となる棚部４１７，４１８を流路の下流側に下り傾斜した状態で形成するので、下皿球出口８６から球落下開口部４０８を経て流路内を下流側から上流側に向けてピアノ線等が挿入された場合にも、ピアノ線等の先端は棚部４１７，４１８の下面を摺動しながら上昇するが、流路の途中で棚部４１７，４１８の傾斜上端で行く手を遮られてしまう。したがって、前記した棚部４１７，４１８が所謂忍び返しとして機能し、不正行為を有効に防止することができる。
【００２５】
次に、遊技盤載置台１３の裏側および遊技盤載置面３０８の構成について説明する。
遊技盤載置面３０８は、前後幅が遊技盤５の板厚とほぼ同じ面であり、左右一連の平面ではなくて途中に逃げ段差を形成し、また左右方向のほぼ中央に切欠部４２２を形成し、この切欠部４２２内に、裏流路構成ユニット２４に設けたアウト球受部材４３０が配設できるように構成されている。
【００２６】
遊技盤載置台１３の裏面には、図１３に示すように、発射装置１４を取り付ける発射装置取付開口部４１１の上方に庇部４３１を一側に傾斜した状態で一体成型するとともに、発射装置取付開口部４１１の下方には発射操作ユニット（ハンドル）８５の発射勢（飛距離）操作を発射装置１４に伝達する機構をカバーするためのカバー部４３２を後方に膨出した状態で一体成型し、左右幅のほぼ中央上部には、前記した切欠部４２２の下方を横コ字状に囲むようにして補強リブを形成し、この補強リブの下方にも補強リブを形成し、該補強リブの下方に、後述するスピーカーユニット１２に連通する放音孔４３３を前後方向に貫通させて複数開設し、また、所定の位置に、後述する裏流路構成ユニット２４を取り付けるためのボス４３４を後方に向けて複数立設してある。なお、放音孔４３３は、遊技盤載置台１３のみならず、内枠本体２１の下横部材２１ｄにも開設し、各放音孔４３３の間は補強リブを兼ねた仕切り材を孔の前端開口縁から後端開口縁まで形成してある。また、内枠本体２１の下横部材２１ｄの左右方向のほぼ中央には開口部４３５を開設し、この開口部４３５が後述する下皿ユニット１１の下皿球出口８６に連通するように構成してある。
【００２７】
裏流路構成ユニット２４は、球排出系アッセンブリー２３の上部球流下路３０ａに連通して遊技球を上皿ユニット１０に向けて案内する下部球流下路３０ｂ、該下部球流下路３０ｂの途中の棚部３１から分岐してオーバーフローした遊技球を下皿側に案内するオーバーフロー流路３２の上流側部分、遊技盤５の遊技領域６から排出されたアウト球やセーフ球を流下してパチンコ機１の外部に排出するための使用球排出流路３２０などを形成したユニット部品であり、前記下部球流下路３０ｂを球排出系アッセンブリー２３の上部球流下路３０ａに接続した状態で遊技盤載置台１３の背面に取り付けられる。なお、球排出系アッセンブリー２３は、図５に示すように、略倒Ｌ字状の取付部材に球タンク２７、球排出装置２８、球タンク２７から球排出装置２８に遊技球を案内する案内流路２９、球排出装置２８から流下した遊技球を上皿に向けて案内する上部球流下路３０ａ、案内流路のＵ字状部分に設けた球抜き口の球抜き弁３２１を開くことにより球タンク２７内の遊技球をパチンコ機１の外部に抜き出す球抜き流路３２２などを設けたユニットである。なお、球抜き流路３２２の上流部分は、上部球流下路３０ａとほぼ平行に形成し、下端の出口が後述する裏流路構成ユニット２４の球抜き流路３２２の下流部分と接続できるように構成してある。
【００２８】
裏流路構成ユニット２４の構成を具体的に説明すると、図１７から図２０に示すように、面板３２３の前面側と後面側に各種の流路形成区画壁を一体成型した流路構成本体３２４と、この流路構成本体３２４の前面側に取り付けて流路構成本体３２４の前面側に形成した流路形成区画壁間の開放部分を塞ぐ前面蓋材３２５と、流路構成本体３２４の後面側に取り付けて流路構成本体３２４の後面側に形成した流路形成区画壁間の開放部分を塞ぐ後面蓋材３２６とからなる三重構造（サンドイッチ構造）であり、遊技盤載置台１３の背面に取り付けた状態で内枠３の軸着側となる一側端（図１７中左側）にアップライト部３２７を上向きに立設してある。
【００２９】
前面蓋材３２５は、流路構成本体３２４の前面側に取り付けて流路構成本体３２４の前面側に形成した流路形成区画壁間の開放部分を塞ぐ板材であり、流路構成本体３２４の開口部３２８に対応する位置に開口部３２９を開設し、また、上端にはアウト球受部材４３０を遊技盤載置面３０８の切欠部４２２に対応する位置に取り付けられている。このアウト球受部材４３０は、遊技領域６の最下位置に開設したアウト口にアウト球が落下したときに受け止めて後述する使用済み球回収口３３０に案内する部材であり、耐磨耗性と耐衝撃性に優れた合成樹脂製であって上面が使用済み球回収口３３０側に向けて僅かに下り傾斜している。なお、このアウト球受部材４３０は、万一損傷した場合に交換できるように、ねじで着脱可能な状態で取り付けられている。また、前面蓋材３２５を流路構成本体３２４の前面に取り付けるには、流路構成本体３２４から前方に向けて係止爪３３１が複数突設されているので、この係止爪３３１を係止孔３３２内に挿入することにより止着することができる。
【００３０】
後面蓋材３２６は、流路構成本体３２４の後面側に取り付けて流路構成本体３２４の後面側に形成した流路形成区画壁間や側壁間の開放部分を塞ぐ板材であり、流路内を透視可能な透明な合成樹脂で作製されている。また、この後面蓋材３２６の一側には、制御装置アッセンブリー２５を軸着するための金属製ヒンジ機構金具４０が取り付けられている。なお、この後面蓋材３２６を流路構成本体３２４の後面に取り付けるには、ねじにより止着する。
【００３１】
流路構成本体３２４は、面板３２３の左右側縁と下端縁に縁壁３３３を前面側に向けて立設し、アップライト部３２７の一部となる一側（図１９中左側）寄りに開口部３２８を開設し、面板３２３の前面側には、上記開口部３２８に上半が直接連通して底面が開口下縁から少し下がった位置に配置されて底面と面板３２３との隅角部に略三角リブ状の流下方向変更部を複数並べて立設した短尺な樋３３４を前方に向けて一体成型し、この樋３３４の横から樋３３４の下方を通ってほぼ中央の下端縁まで緩やかに下り傾斜する状態で下流球抜き流路３２２用の区画壁３３５を球径よりも大きな間隔（約２倍）を空けて立設し、傾斜下端手前部分は下向きに形成し、傾斜下端は縁壁３３３を切り欠いて出口３３６を形成する。また、アップライト部３２７とは反対側の他側（図１９中右側）の上端には、アウト球やセーフ球などの使用済みの遊技球を回収する使用済み球回収口３３０を形成し、この使用済み球回収口３３０の左右端部からその中央寄りに次第に下り傾斜した状態で形成した回収口底部３３７の傾斜下端から略クランク状に使用球排出流路３２０用の区画壁３３８を球径よりも大きな間隔（約３倍）を空けて立設し、両区画壁３３８の傾斜下端を上記球抜き流路３２２の下流部分の途中に接続して両流路が合流するように構成する。
【００３２】
一方、流路構成本体３２４の背面（後面）には、アップライト部３２７に、一側端に球抜き流路３２２用の区画壁３３９を球径よりも大きな間隔で上端から高さのほぼ半分位の位置まで後向きに立設し、下端部分が面板３２３の側縁を斜め横巻き状に通って前面の前記下流球抜き流路３２２用の区画壁３３５に接続して一連の球抜き流路３２２となるように構成する。したがって、球抜き弁３２１を開いて流下する上タンク２７からの遊技球は、裏流路構成ユニット２４の球抜き流路３２２を流下する場合には、アップライト部３２７から少し下までは面板３２３の後面に形成した球抜き流路３２２内を流下し、途中から面板３２３の前面に形成した球抜き流路３２２内を流下して出口３３６から遊技機島内の球回収樋に排出されるなどしてパチンコ機１の外部に排出される。
【００３３】
また、面板３２３の後面のアップライト部３２７には下部球流下路３０ｂを区画形成する区画壁３４０を球径より少し大きな間隔で上端部分は垂直に、その下方は略コ字状の流下勢減衰部となり、下端の出口を前記開口部３２８の少し上方で開口部側に横を向いた状態で形成し、開口部３２８の開口下縁から後方に向けて棚部３１を突設し、該棚部３１の一側（下部球流下路３０ｂの出口側）にオーバーフロー堰３４１を上向きに屈曲した状態で形成し、該オーバーフロー堰３４１の横の空部をオーバーフロー流路３２の入口として、該入口の縁から屈曲した状態でオーバーフロー流路３２用の区画壁３４２を球径よりも大きな間隔（約２個分位）を空けて他側に向けて下り傾斜した状態で立設するとともに傾斜下端部分を下方に向けて立設し、この下方に向けて方向を変換した部分の外側の区画壁３４２に切欠部３４３を形成し、この切欠部３４３に球圧受部材３４４を上端の支軸により揺動可能な状態で臨ませるとともに、この球圧受部材３４４が球圧で外側に向けて押圧された場合に信号を送出するスイッチ３４５を球圧受部材３４４に臨ませて設ける。
【００３４】
したがって、球排出装置２８から排出された遊技球が上部球流下路３０ａ内から下部球流下路３０ｂ内を流下してコ字状の流下勢減衰部まで流下すると、この部分を流下するときに流下勢を弱めて横向きの出口から開口部３２８側に向けて排出され、棚部３１上に落下して上皿ユニット１０に排出することができる。そして、上皿ユニット１０が満杯となり遊技球が開口部３２８から棚部３１上まで溜まると、オーバーフロー堰３４１を乗り越えてオーバーフロー入口にオーバーフローしてオーバーフロー流路３２内を流下して下皿ユニット１１に排出することができる。また、下皿ユニット１１が満杯となって下皿ユニット１１に排出されない遊技球がオーバーフロー流路３２内に溜まり、この溜まった遊技球が球圧受部材３４４を押圧すると、スイッチ３４５がオンとなって信号を送出し、この信号に基づいて発射装置１４の作動を停止させることができる。
【００３５】
なお、オーバーフロー流路３２の入口となる棚部３１は、図２１に示すように、遊技盤５よりも後ろであって透明部材保持枠８の下端よりも高い位置に配置しているので、上皿ユニット１０が満杯になっても棚部３１から上皿ユニット１０の間に、従来よりも多い遊技球を貯留することができ、上皿ユニット１０自体の容量が少なくても十分な量の遊技球を実質的に貯留したこととなる。
【００３６】
この様な構成からなる球排出系アッセンブリー２３と裏流路構成ユニット２４を内枠３の裏面所定位置に取り付ける場合には、裏流路構成ユニット２４のアップライト部３２７に立設した嵌合突起３４６を球排出系アッセンブリー２３の下端面に開設した嵌合孔内に嵌合して両者の位置を合わせ、これにより球流下路３０及び球抜き流路３２２を段差なく連通させた状態で所定の位置に取り付ける。すると、裏流路構成ユニット２４の前面に前方に向けて突出した球流下路３０の下端出口３３が遊技盤載置台１３の貫通穴内に臨んで開口し、この貫通穴内に前方から挿入される接続樋３４を介して上皿ユニット１０側と連通する。したがって、球流下路３０内を流下した遊技球は、接続樋３４を介して上皿ユニット１０に排出される。また、裏流路構成ユニット２４の内部に形成したオーバーフロー流路３２の出口が遊技盤載置台１３の裏側下端に取り付けたシュート流路部材２６を介して下皿ユニット１１に連通し、また、球回収流路４２１の出口もシュート流路部材２６を介して下皿ユニット１１に連通する。したがって、オーバーフローした遊技球やファール球などはシュート流路部材２６を介して下皿ユニット１１に排出される。さらにアウト球受部材４３０が遊技盤載置面３０８の切欠部４２２内に位置して使用球排出流路３２０の使用済み球回収口３３０が遊技盤５のアウト口やセーフ球出口に連通可能な位置に配置される。したがって、セーフ球やアウト球は使用済みの遊技球として、シュート流路部材２６内に別途形成した流路を介してパチンコ機１の裏側に排出される。なお、球抜き流路３２２内を流下した遊技球もシュート流路部材２６内に別途形成した上記流路を介してパチンコ機１の裏側に排出される。
なお、裏流路構成ユニット２４を遊技盤載置台１３の背面に取り付ける場合、遊技盤載置台１３の背面に立設したボス４３４を裏流路構成ユニット２４に開口した穴３４７内に挿入し、裏流路構成ユニット２４の後面側からねじにより止着する。
【００３７】
この様にして裏流路構成ユニット２４を遊技盤載置台１３の背面に取り付けたならば、この裏流路構成ユニット２４の背面に制御装置アッセンブリー２５を取り付ける。制御装置アッセンブリー２５は、図２２に示すように、一側に設けたヒンジ機構４０と他側に設けた止着具４１とにより裏流路構成ユニット２４の背面に開閉可能な状態で取り付けられ、本実施形態では、プラスチック製ベース板４０ａの前面に金属板製のノイズ防止板材４２を添設するとともに、発射装置１４のモータ１０３に対応する部分にノイズ防止板材４２との導通を防止するプラスチック製の絶縁板４２ａを添設し、ベース板４０ａの背面には、球払い出し制御と発射制御とを行う制御装置４３、及び電源を制御する電源装置４４を並べて取り付けると共に、軸着側には各種の中継基板４０ｂ、コネクタ４０ｃを取り付けて保護カバー４０ｄを被せてある。そして、制御装置４３，電源装置４４をベース板４０ａに取り付けるには、ベース板４０ａの背面に、背面から所定の間隔を空けて舌片状の係止片４０ｅを向かい合わせに対にして一体成形してあるので、制御装置４３，電源装置４４のケースの両側から突設してある引っ掛け片４３ａ，４４ａを、係止片４０ｅの上方の切欠部４０ｆ内を通してから下降し、係止片４０ｅと前記背面との間に係止し、ベース板４０ａに形成してある外れ止め爪を掛けて着脱可能に装着する。したがって、ベース板４０ａの背面に制御装置４３，電源装置４４を簡単に装着できる。
【００３８】
この様に、本実施形態における制御装置アッセンブリー２５は、発射装置１４の裏側に制御装置４３を配置するものであるが、ノイズ防止板材４２や絶縁板４２ａを間に介在するので、発射装置１４のモーターからのノイズにより制御装置４３が誤動作することを確実に防止することができる。また、ヒンジ機構４０と止着具４１とにより取り付ける構成なので、取付作業が簡単なだけでなく、簡単に開いて裏流路構成ユニット２４内の流路の点検も行うことができ、さらには交換作業も容易である。
なお、制御装置アッセンブリー２５に装備する制御装置はこれに限定されるものではなく、例えば、演出用の制御装置や遊技制御装置を取り付けても良いし、複数取り付けても良い。
【００３９】
次に、遊技盤の遊技盤収納部４に対する取り付けについて説明する。
遊技盤収納部４内に収納した遊技盤５を止着するには、遊技盤収納部４の一側方の上部と下部に遊技盤５の一側部を係止可能な遊技盤係止手段３０１を設けると共に、前記遊技盤収納部４の他側方と上方他側部（上壁４０１）に遊技盤５の他側部を固定可能な遊技盤固定手段３０２を設ける。そして、遊技盤収納部４の一側壁には、図１２に示すように、遊技盤５の一側面に当接して左右方向の位置決めをする位置決め部材４４０を設ける。本実施形態では、遊技盤収納部４の側壁４０２と後壁４０４とにより囲まれた隅角部に、前方に傾斜部を有するリブ状の位置決め部材４４０を遊技盤収納部４と一体成型し、遊技盤収納部４の一側方の遊技盤固定手段３０２の押圧部により遊技盤を位置決め部材４４０に押し付けると共に、遊技盤収納部４の上方他側部（上壁４０１）の遊技盤固定手段３０２の押圧部により遊技盤５を遊技盤載置台１３の遊技盤載置面３０８に押し付ける。
【００４０】
前記遊技盤係止手段３０１は、本実施形態では弾性を有する金属板を成形した止着金具であり、図２３から図２７に示すように、遊技盤収納部４の一側壁（左の側壁４０２）の外側面に当接する側当接面を有する縦長略四角形のベース部３５０と、このベース部３５０の前端部のほぼ中央から屈曲して遊技盤収納部４の他側方（右側）に所定長さ分略円弧状に延出し、内側にカールさせた先端部が遊技盤５の前面に前方から当接して遊技盤５を後方側へ押し付け可能な係合部３５１と、ベース部３５０の前端部の上部と下部からそれぞれ前方に延出する舌片状の前方延出部３５２と、前記ベース部３５０の後端部の上部と下部からそれぞれ遊技盤収納部４の他側方（右側）に向けてほぼ直角に屈曲し、遊技盤収納部４の後壁４０４の裏面に当接する後当接面を有すると共に、当該遊技盤係止手段３０１を止着するための止着孔３５８を形成した突片状の後壁当接部３５３と、を備えて構成されており、各後壁当接部３５３の対向する辺には切欠状の被係合部３５４が向かい合わせに形成されている。
【００４１】
そして、上記した構成からなる遊技盤係止手段３０１（止着金具）を遊技盤収納部４に取り付けるために、図２４に示すように、遊技盤収納部４の一側壁（左側の側壁４０２）に、前記係合部３５１を遊技盤収納部４の外側から内側に挿通するための挿通開口部３５５を略四角形に開設し、この挿通開口部３５５の上方と下方の内枠本体２１寄りに、後方に開口して前記前方延出部３５２を差し込む溝あるいは薄い孔ないしスリット状の差込部３５６を形成し、また、挿通開口部３５５の上方と下方の後方に位置する前記遊技盤収納部４の後壁４０４から側壁４０２には、前記後壁当接部３５３が丁度収まって係合する段差凹部３５７を形成し、この段差凹部３５７に後壁当接部３５３の止着孔３５８に対応する位置にねじなどの止着部材３５９を止着するねじ孔などの止着部３６０を形成し、この止着部３６０の近傍の後壁４０４には前記被係合部３５４が係合する突起を後壁係合部３６１として設けてある。
【００４２】
遊技盤係止手段３０１を遊技盤収納部４の側壁４０２に取り付けるには、図２４に示すように、遊技盤収納部４の裏側から係合部３５１を挿通開口部３５５内に挿入しつつ前方延出部３５２を差込部３５６内に差し込み、後壁当接部３５３の後当接面を遊技盤収納部４の後壁４０４の裏面（外面）に当接するとともに、後壁係合部３６１を後当接面の被係合部３５４に係合し、この状態で止着部材３５９であるねじを止着孔３５９に挿入して止着部３６０に締め込んで固定する。この様にして遊技盤係止手段３０１を遊技盤収納部４の側壁４０２の所定位置に固定すると、図２７に示すように、係合部３５１が遊技盤収納部４の内部の空間内に延びて、その先端と遊技盤収納部４の後壁４０４との間に遊技盤５の厚みよりも僅かに小さな間隔が空き、前方延出部３５２は、差込部３５６の内面により、両側の面が抑えられて厚み方向の動きが規制された状態になる。
【００４３】
一方、遊技盤固定手段３０２は、本実施形態では金属板を成形して手で操作できるようにした固定金具であり、図２８から図３１に示すように、遊技盤収納部４に取り付けられる縦長略四角形の遊技盤固定ベース部材３７０と、この遊技盤固定ベース部材３７０に回動可能に取り付けられ、遊技盤前面に当接して遊技盤５を後方へ押し付けて固定する遊技盤固定状態（図２９）と、遊技盤前面に当接しない遊技盤固定解除状態（図２８）とに変換可能な回動固定部材３７１と、遊技盤固定解除状態を維持可能に前記回動固定部材３７１に係合する状態維持係合部材３７２と、から概略構成されている。
【００４４】
遊技盤固定ベース部材３７０には、ほぼ中央に開口部３７３を開設するとともに、この開口部３７３を打ち抜く際に余剰となる部分の一部を、取付状態で前方となる側の開口部開口縁を基端にして遊技盤側となる方向に向けてほぼ直角に切り起し、すなわち屈曲して前面側起立片３７４を形成し、また、この前面側起立片３７４を形成した側の当該遊技盤固定ベース部材３７０の側縁に断面鉤形の反力受片となる前方延出部３７５を延設し、遊技盤収納部４の後壁４０４側となる一方の側縁部分を遊技盤側にほぼ直角に屈曲して後壁当接部となる後壁側起立片３７６を形成する。そして、前面側起立片３７４には、回動固定部材３７１を軸着する軸３７７を通す軸孔３７８を開設すると共に回動固定部材３７１のストッパとなる突起３７９を後壁側起立片３７６側に屈曲させて形成する。また、後壁側起立片３７６には、前面側起立片３７４の軸孔３７８に対応する位置に軸孔３８０を開設し、また、その長手方向の一端と他端に、遊技盤係止手段３０１と同様に、切欠状の被係合部３８１を形成し、両被係合部３８１の間に当該遊技盤固定手段３０２を止着するための止着孔３８２を形成する。
【００４５】
回動固定部材３７１は、強固な金属板を成形したもので、図３０に示すように、軸３７７を通す軸孔３８３が左右両脚片３８４に開設された断面横コ字状の基部３８５と、この基部３８５の一方の脚片３８４から延設され、遊技盤５の前面に当接するレバー状の遊技盤前面当接部３８６と、この遊技盤前面当接部３８６の自由端側（先端側）に屈曲形成され当該回動固定部材３７１を回動操作する操作部３８７と、柔軟な合成樹脂により成形され操作部３８７に被覆された操作部カバー３８８と、基部３８５の一端から断面Ｌ字状に屈曲形成されて遊技盤前面当接部３８６と同じ方向に延設されて回動固定部材３７１を遊技盤固定状態にしたときに遊技盤５の他側面に当接して遊技盤５を一側方に押圧する押圧部３８９とを備えている。なお、軸孔３８３に通した軸３７７の中心から基部３８５の外面（図３０中の上面）までの寸法と、軸３７７の中心から遊技盤前面当接部３８６の後端（すなわち、軸３７７を挟んで当接部３８９とは反対側に位置する基部３８５の端部）までの寸法をほぼ同じ長さに設定することが望ましく、この長さは軸３７７の中心から基部３８５の上記端部までの長さよりも短い。
【００４６】
この回動固定部材３７１を遊技盤固定ベース部材３７０に組み付けるには、遊技盤固定ベース部材３７０の前面側起立片３７４と後壁側起立片３７６との間に回動固定部材３７１の両脚片３８４を位置させて４つの軸孔３７８，３８０，３８３を同軸上に合わせてから軸３７７を挿通して回動可能に軸着する。また、遊技盤固定ベース部材３７０には、遊技盤固定解除状態を維持可能に前記回動固定部材３７１に係合する状態維持係合部材３７２を設ける。本実施形態における状態維持係合部材３７２は、図３０に示すように、ばね鋼の板材の一端（図中の上端）を折り返すとともにその先端を小さく断面「く」字状に屈曲して保持部３９０とした取付基端部３９１と、この取付基端部３９１から他方に延出して他端を取付基端部３９１とは反対側に斜めに屈曲した途中保持部３９２と、この途中保持部３９２から先端部分を反対側に屈曲した圧接部３９３とを備えた板ばねから構成されている。この状態維持係合部材３７２を遊技盤固定ベース部材３７０に組み付けるには、図２９及び図３０に示すように、取付基端部３９１の折り返し部分を遊技盤固定ベース部材３７０の外側に位置させて取付基端部３９１で遊技盤固定ベース部材３７０を挟み付けると共に保持部３９０を遊技盤固定ベース部材３７０の横長孔３９４に係合して取付状態を保持し、取付基端部３９１から他端側に延びた延出部分を前面側起立片３７４と後壁側起立片３７６とが起立する側を通して遊技盤固定ベース部材３７０の開口部３７３まで延出し、この延出部分が可撓可能な状態で取り付ける。
【００４７】
この様な状態維持係合部材３７２を備えると、途中保持部３９２が軸３７７に近い位置に位置して先端の圧接部３９３が軸３７７を越した位置に位置する。したがって、図２８に示すように、回動固定部材３７１を操作部３８７が取付基端部３９１側に位置して遊技盤固定ベース部材３７０とほぼ平行になる姿勢にすると、状態維持係合部材３７２の圧接部３９３が軸３７７を越した位置で回動固定部材３７１の基部３８５の外面を押圧することとなり、操作部３８７が取付基端部３９１側に近づく方向に回動固定部材３７１を付勢する。したがって、回動固定部材３７１の先端が遊技盤固定ベース部材３７０に当接して停止した状態（後述する遊技盤固定解除状態）を維持する。
【００４８】
この状態から操作部３８７を指でつまんで回動固定部材３７１を状態維持係合部材３７２の付勢力に抗して回動すると、圧接部３９３が回動固定部材３７１の基部３８５の外面を相対的に移動し、これに伴って状態維持係合部材３７２が撓み、遂には外面から外れて基部３８５の端部が状態維持係合部材３７２の延出部分を摺動する。この状態で回動固定部材３７１を遊技盤固定ベース部材３７０に対してほぼ４５度まで回動すると、基部３８５の端部が「く」字状に屈曲した途中保持部３９２に圧接する。この状態になると、途中保持部３９２を越えて回動固定部材３７１を回動する際の抵抗力も、また戻り方向の抵抗力も増大する位置なので、操作部３８７から手を離しても回動固定部材３７１はこの状態、すなわち遊技盤固定ベース部材３７０に対してほぼ４５度になった途中の状態で安定して状態を保持する。なお、この途中の状態では押圧部３８９が遊技盤５の側面を押圧しない寸法に各部が設定されている。
【００４９】
また、上記途中保持状態から回動固定部材３７１を増大した抵抗力に抗して手で回動すると、基部３８５の端部が延出部分を取付基端部３９１に次第に近づく方向に摺動する。そして、回動固定部材３７１が遊技盤固定ベース部材３７０に対してほぼ直角になると、状態維持係合部材３７２の撓みが殆どなくなり、回動固定部材３７１に作用する押圧力が最低になる。すなわち、この状態から回動固定部材３７１を戻り回動しようとすると、抵抗が生じる。このため、回動固定部材３７１は遊技盤固定ベース部材３７０に対してほぼ直角に位置する状態を保持する。そして、この状態が、回動固定部材３７１の先端部分、すなわち遊技盤前面当接部３８６が遊技盤前面に当接して遊技盤５を後方へ押し付けて固定する遊技盤固定状態となる。
【００５０】
上記した構成からなる遊技盤固定手段３０２としての固定金具を遊技盤収納部４に取り付けるには、遊技盤収納部４の他側壁（右側の側壁４０３）に、前記回動固定部材３７１を遊技盤収納部４の外側から内側に挿通するとともに回動固定部材３７１が回動した際に回動固定部材３７１の後端及び状態維持係合部材３７２が遊技盤収納部４との干渉を防止する空間を確保するための挿通開口部３９５を略四角形に開設し、この挿通開口部３９５の開口縁の内枠本体２１寄りに、前記前方延出部３７５が当接する当接受部３９６を前記他側壁（右側の側壁４０３）の内面に形成し、また、挿通開口部３９５の上方と下方の後方に位置する前記遊技盤収納部４の後壁４０４には、前記後壁当接部（後壁側起立片３７６）が丁度収まって係合する段差凹部３９７を形成し、この段差凹部３９７に後壁当接部の止着孔３８２に対応する位置にねじなどの止着部材３９８を止着する止着部３９９（ねじ孔など）を形成し、この止着部３９９の近傍の後壁４０４には前記被係合部３８１が係合する突起を後壁係合部４００として設けてある。
【００５１】
遊技盤固定手段３０２を遊技盤収納部４の側壁４０３に取り付けるには、図３２に示すように、遊技盤収納部４の裏側から回動固定部材３７１を挿通開口部３９５内に挿入してから前方延出部３７５を差し込んで当接受部３９６に当接可能な状態とし、後壁側起立片３７６の後当接面を段差凹部３９７内に嵌め込んで遊技盤収納部４の後壁４０４の裏面（外面）に当接するとともに、後壁係合部４００を後当接面の被係合部３８１に係合し、この状態で止着部材３９８であるねじを止着孔３８２に挿通して止着部（ねじ孔）３９９に締め込んで固定する。この様にして遊技盤固定手段３０２を遊技盤収納部４の側壁４０３の所定位置に固定すると、操作部３８７が遊技盤収納部４の内部側から操作可能になり、この操作部３８７を指でつまんで回動固定部材３７１を回動することができる状態になる。
【００５２】
前記した構成からなる遊技盤固定手段３０２は、遊技盤収納部４の側壁４０３の下半部分に一箇所取り付けるほかに、本実施形態では、遊技盤収納部４の上壁４０１にも取り付ける。なお、遊技盤収納部４の上壁４０１に取り付ける遊技盤固定手段３０２は、側壁４０３に取り付けるものと同じ構成である。また、この遊技盤固定手段３０２を取り付ける上壁４０１の取り付け部分の構成も、側壁４０３の構成と同様である。要するに、遊技盤収納部４の他側部に取り付けた遊技盤固定手段３０２により遊技盤５を一側に押圧しながら固定し、遊技盤収納部４の上壁４０１に取り付けた遊技盤固定手段３０２により遊技盤を下方に押圧しながら固定する構成である。
【００５３】
次に、遊技盤５を遊技盤収納部４に取り付けたり、取り外したりする作業手順について説明する。
まず、図２に示すように、上皿ユニット１０は閉じた状態でもよいが透明部材保持枠８を大きく開き、遊技盤固定手段３０２の回動固定部材３７１を遊技盤固定ベース部材３７０とほぼ平行な状態、すなわち遊技盤固定解除状態にしておく。この状態で、図２に示すように、遊技領域６を前方に向けた遊技盤５を遊技盤収納部４の前面の開口に臨ませ、この遊技盤５を後退させながら遊技盤収納部４内に前方から入れ始める。この時、遊技盤５の一側下端を遊技盤載置面３０８上に載せ、この状態で、図３に示すように、遊技盤載置面３０８上を摺動させながら遊技盤５の一側を遊技盤収納部４の一方の側壁（左側の側壁４０２）に取り付けられた遊技盤係止手段３０１の係合部３５１と遊技盤収納部４の後壁４０４との間に差し込み、次に、図３５に示すように、遊技盤５の一側面を位置決め部材４４０に押し当てるようにしながら遊技盤５の他側を遊技盤収納部４内に押し入れて遊技盤の下端の全幅を遊技盤載置面３０８上に載せ、この状態で遊技盤５を十分に後退させて遊技盤５の背面を遊技盤収納部４の後壁４０４に当接する。
【００５４】
この様にして遊技盤を遊技盤収納部４内に押し入れたならば、遊技盤固定手段３０２の操作部３８７を指でつまんで遊技盤固定解除状態にあった回動固定部材３７１を回動する。回動固定部材３７１を少し回動すると、遊技盤前面当接部３８６が遊技盤５の前面に当接し始め、更に回動すると、遊技盤前面当接部３８６が遊技盤５の他側の前面を後方に押し付けるとともに遊技盤係止手段３０１の係合部３５１が遊技盤５の一側の前面を後方に押し付けているので、当該遊技盤５の背面が後壁４０４に確実に押し付けられて前後位置が所定の前後位置になり、また、押圧部３８９が遊技盤５の他側面に当接する。この状態から回動固定部材３７１を更に回動して十分な角度（約９０度）まで回動して遊技盤固定状態に変換すると、押圧部３８９により押圧された遊技盤５の一側面が位置決め部材４４０に当接して当該遊技盤を左右の所定位置に位置させた状態で固定することができる。
【００５５】
なお、遊技盤固定手段３０２は、状態維持係合部材３７２を備えているので、遊技盤固定解除状態においても、また、遊技盤固定状態においても、振動等により回動固定部材３７１が勝手に回動することを防止できる。さらに、この状態維持係合部材３７２は、途中保持部３９２を有して回動固定部材３７１が状態を変換する途中であってもその途中の状態を維持することができる。したがって、遊技盤５を装着する作業中、遊技盤５を仮止めすることもできる。
【００５６】
遊技盤係止手段３０１により遊技盤５を後方に押圧した場合に、その反力として遊技盤係止手段３０１には前方への力が作用するが、この時の反力は後壁当接部３５３が遊技盤収納部４の後壁４０４を押圧する力として受け止められるので、遊技盤係止手段３０１を止着している止着部材（ねじ）３５９には殆ど力が作用しない。したがって、ねじを締めこんだ遊技盤収納部４が合成樹脂製であっても必要且つ十分な強度を確保できる。また、遊技盤係止手段３０１のベース部３５０から係合部３５１が腕状に延出しているために係合部３５１を外側に向けて回動しようとする反力が発生するが、前方延出部３５２が遊技盤収納部４の差込部３５６に差し込まれているので、上記回動しようとする力を差込部３５６の内面で受けることができる。したがって、止着部材（ねじ）３５９には殆ど力が作用しない。さらに、遊技盤５を装着する作業中に遊技盤係止手段３０１に上記以外の力、例えば上下方向の力が作用したとしても、遊技盤収納部４の後壁４０４に上下２箇所突設した後壁係合部３６１と遊技盤係止手段３０１の後壁当接部３５３に向かい合わせに形成した被係合部３５４とが係合しているので、この係合により上記した力を受けることができ、止着部材（ねじ）３５９への負担を著しく軽減している。この様に、遊技盤係止手段３０１を止着している止着手段３５９にはほとんど力が掛からないため、止着対象である遊技盤収納部４が鉄板よりも強度の低い合成樹脂であっても支障がない。
【００５７】
また、遊技盤固定手段３０２においては、回動固定部材３７１の遊技盤前面当接部３８６が遊技盤５の前面に当接して遊技盤５を後方に押圧した場合に、その反力として遊技盤固定手段３０２には前方への力が作用するが、この時の反力は後壁当接部（後壁側起立片３７６）が遊技盤収納部４の後壁４０４を押圧する力として受け止められるので、遊技盤固定手段３０２を止着している止着部材（ねじ）３９８には殆ど力が作用しない。
そして、押圧部３８９が遊技盤５を一側（遊技盤係止手段３０１側）に押圧した場合、その反力として遊技盤固定手段３０２には反対側への力が作用するが、前方延出部３７５が遊技盤収納部４の側壁４０３の内面に当接しているので、この力を側壁４０３の内面の当接受部３９６で受けることができる。さらには、遊技盤収納部４の後壁４０４に、上下２箇所突設した後壁係合部４００と遊技盤固定手段３０２の後壁当接部（後壁起立片３７６）にそれぞれ反対側に向けて形成した被係合部３８１とが係合しているので、この係合により上記反作用の力を受けることができる。
【００５８】
また、遊技盤固定手段３０２の遊技盤固定ベース部材３７０から回動固定部材３７１が腕状に延出しているために回動固定部材３７１を外側に向けて回動しようとする反力が発生するが、前方延出部３７５が遊技盤収納部４の側壁４０３の内面に当接しているので、上記回動しようとする力を側壁４０３の内面で受けることができる。したがって、遊技盤固定手段３０２においても、遊技盤係止手段３０１と同様に、止着部材（ねじ）３９８には殆ど力が作用しない。さらに、遊技盤５を装着する作業中に遊技盤係止手段３０１に上記以外の力、例えば上下方向の力が作用したとしても、遊技盤収納部４の後壁４０４に突設した後壁係合部４００と遊技盤固定手段３０２の後壁当接部の被係合部３８１とが係合しているので、この係合により上記した力を受けることができ、止着部材への負担を軽減している。この様に、遊技盤固定手段３０２を止着している止着手段にはほとんど力が掛からないため、止着対象である遊技盤収納部４が鉄板よりも強度の低い合成樹脂であっても支障がない。
【００５９】
なお、遊技盤収納部４の上壁４０１に装着した遊技盤固定手段３０２に関しても、遊技盤５を固定したときに反力を受けるが、遊技盤収納部４の右側の側壁４０３に装着した遊技盤固定手段３０２と同様に、止着部材であるねじへの負担は殆どないので、上壁４０１が合成樹脂製であっても必要且つ十分な強度を確保することができる。
また、遊技盤収納部４内に装着した遊技盤５を取り外す場合には、前記した操作とは逆の手順で行う。すなわち、遊技盤収納部４の側壁４０３および上壁４０１に取り付けられた遊技盤固定手段３０２の操作部をパチンコ機１前方から操作して回動固定部材３７１を戻り回動することにより遊技盤５の他側から外し、この状態で遊技盤５を先ずは遊技盤５の他側を先に手前に引き出し、次に、遊技盤収納部４の側壁４０２に取り付けられている遊技盤係止手段３０１の係合部３５１から遊技盤５の一側を外して遊技盤５を手前に引き出す。これにより、遊技盤５を容易に取り外すことができる。
【００６０】
次に、透明部材保持枠８について説明する。
透明部材保持枠８は、図３７から図４０に示すように、遊技盤５の遊技領域６の全体が見える大きさの略円形の開口部８０２を開設し、装飾部材として機能する合成樹脂製の前面部材８０３と、この前面部材８０３の裏側に設けられ前記開口部８０２と重なる開口部８０４を開設した合成樹脂製の保持枠本体８０５と、保持枠本体８０５の裏側に設けられて透明ガラスなどの透明部材８０６（図４１）を支持する支持部材８０７とから概略構成され、保持枠本体８０５の一側上下に設けたヒンジ金具３０７，３０９により内枠３の一側に開閉可能に軸着される。
【００６１】
前面部材８０３は、その裏側に設けた発光装飾基板８０８のＬＥＤなどの発光体の光を透過できるように透光性の合成樹脂により成形された背面開放の浅いカバー状の部材であり、一側（左側）の上下に補助装飾部材８０３ａ，８０３ｂを設け、開口部８０２の内周縁の左右にスピーカー装飾部材８０３ｃ，８０３ｄを、また開口部８０２の内周縁の下部に、上縁が横一直線で下縁が円弧状の略三日月形のカバー部材８０９を設け、該カバー部材８０９のほぼ中央に開設した横長な開口部８１０に貸し球スイッチユニット８１１の貸し球用操作釦８０１ａと返却用操作釦８０１ｂを配置できるように構成してある。なお、貸し球スイッチユニット８１１については、後で詳述する。
【００６２】
この様な構成からなる前面部材８０３の裏側に設ける保持枠本体８０５は、左右幅よりも上下長さが少し長い略長方形の合成樹脂製枠体であり、前記スピーカー装飾部材８０３ｃ，８０３ｄに対応する位置にスピーカー８１２ａ，８１２ｂを設け、前面には前記発光装飾基板８０８を取り付ける取付部を形成し、開口部８０４の下方の部分であって前記開口部８１０に対応する部位に、貸し球スイッチユニット８１１を前方から収納可能なユニット収納室８１３を形成してある。なお、この保持枠本体８０５は、前記前面部材８０３の背面の開口縁内に丁度嵌合する大きさに成形されており、前面部材８０３の背面に、後方から複数のネジにより固定される。そして、この保持枠本体８０５の裏面の開口部８０４の上方に横長な金属製補強材８１４をねじで固定するとともに、開口部８０４の一側（軸着側）に縦長な第１支持部材８０７ａを、開口部８０４の他側（自由端側）に縦長な第２支持部材８０７ｂを、開口部８０４の下方に横長な第３支持部材８０７ｃを第１，第２支持部材８０７ａ，８０７ｂの下端に接続した状態でそれぞれねじで固定し、上記第１支持部材８０７ａの外側にヒンジ金具３０７を上下に備えた金属製補強材８１５をねじで固定する。なお、第１，第２，第３支持部材８０７ａ，８０７ｂ，８０７ｃは、それぞれ金属板製であり、保持枠本体８０５の補強材としても機能する。
【００６３】
第１支持部材８０７ａは、図４１に示すように、金属板を断面略Ｗ字状に屈曲成形することにより、開口部８０４側に、板状透明部材８０６の縁を保持可能な一部溝状の透明部材保持部８１６を前後に２本形成してある。また、第２支持部材８０７ｂは、金属板を断面略Ｗ字状に屈曲成形することにより、開口部８０４側に、板状透明部材８０６の縁を保持可能な溝状の透明部材保持部８１６を前後に２本形成するとともに、開口部８０４側とは反対側の外側部分を延設して保持枠本体８０５の裏面に添付する縦長な補強面部８１７を形成し、該補強面部８１７の上部に２箇所、下部に１箇所受金具８ａを形成し、補強面部８１７の外側縁を後方に向けて起立させて不正防止壁８１８を形成する。第３支持部材８０７ｃは、金属板を断面略Ｗ字状に屈曲成形することにより、開口部８０４側に、板状透明部材の縁を保持可能な溝状の透明部材保持部８１６を前後に２本形成するとともに、開口部８０４側とは反対側の下端左右部分を下方に向けて延設し、これにより保持枠本体８０５の裏面に添付する補強面部８１７を左右に２箇所形成し、両補強面部８１７の間に前記ユニット収納室８１３が入り込む様に構成する。      
【００６４】
前記した第１，第２，第３支持部材８０７ａ，８０７ｂ，８０７ｃを保持枠本体８０５の裏面に取り付けると、保持枠本体８０５の裏面に前面透明部材（例えば、透明板ガラス８０６ａ）の左右縁部と下縁部を支持する透明部材保持部８１６が同一平面上に形成され、この透明部材保持部８１６の後方に内面透明部材（例えば、透明板ガラス８０６ｂ）の左右縁部と下縁部を支持する透明部材保持部８１６が同一平面上に形成される。したがって、横向きコ字状に配置された前方の透明部材保持部８１６と、その後方に配置された透明部材保持部８１６内に、上方から前面透明部材８０６ａ、内面透明部材８０６ｂをそれぞれ差し込むことができる。
【００６５】
また、本実施形態では、図３９に示すように、第１支持部材８０７ａの上端と第２支持部材８０７ｂの上端との間に、透明部材上昇防止部材８１９を架設してある。この透明部材上昇防止部材８１９は、左右端部に腕部８１９ａを有する略門形、或いは横向きコ字状の部材であり、腕部８１９ａにはその長手方向に長尺な長孔を有する。そして、この透明部材上昇防止部材８１９を取り付けるには、腕部８１９ａの長孔内に、第１，第２支持部材８０７ａ，８０７ｂの上端部分に外向きに突設したピン状の嵌合突起をそれぞれ遊嵌した状態で取り付ける。この様にして取り付けると、透明部材上昇防止部材８１９は、腕部８１９ａを縦にした状態では嵌合突起が長孔内を相対的に移動可能なストロークだけ上下動が可能であり、この状態では前面の透明部材８０６ａを遊技者が手で押し上げようとしても、透明部材８０６ａの上端が透明部材上昇防止部材８１９に当たってしまい、上記ストロークだけは上昇できてもそれ以上は上昇させることができない。したがって、遊技者が透明部材８０６ａを手で押し上げても不正行為はできない。
【００６６】
一方、透明部材上昇防止部材８１９は上昇させた状態で後方に回動することもでき、これにより第１，第２支持部材８０７ａ，８０７ｂの透明部材保持部８１６の上端縁を開放することができる。したがって、透明部材８０６を各支持部材８０７の透明部材保持部８１６内に差し込む時、あるいは抜き出す時には、透明部材上昇防止部材８１９を一端上昇させてから後方に回動して、透明部材保持部８１６の上方を開放した状態で作業することができる。また、透明部材８０６を支持部材８０７の透明部材保持部８１６内に差し込んだ状態で稼動する時（営業中）には、透明部材上昇防止部材８１９の腕部８１９ａを縦にした状態で下降しておくと不正行為を防止することができる。
なお、図４０中、符号８０７ｄは補強材、符号８０７ｅは裏面カバーである。
【００６７】
次に、貸し球スイッチユニット８１１について説明する。
貸し球スイッチユニット８１１は、図４２から図４５に示すように、遊技者が操作する操作部（貸し球用操作釦８０１ａ，返却用操作釦８０１ｂ）を設けたユニットケース８２０と、該ユニットケース８２０内に設けられ、前記操作部８０１の操作により作動するスイッチ８２１とを備えている。
【００６８】
前記ユニットケース８２０は、横長な合成樹脂製の筐体であり、操作部としての貸し球用操作釦８０１ａと返却用操作釦８０１ｂを前面に設けて裏側が開放した透光性合成樹脂製のケース本体８２２と、このケース本体８２２の裏側に組み付ける合成樹脂製の裏蓋部材８２３とからなる。そして、ユニットケース８２０の内部に配線基板８２４を設け、この配線基板８２４に、前記各操作釦８０１ａ，８０１ｂの操作によりオン・オフする２つのスイッチ８２１と、両スイッチ８２１の間に配置されて遊技価値をデジタル表示するセグメント表示器８２５と、作動中を発光表示する発光素子８２６を実装するとともに、これらの電気部品のためのプリント配線を施し、配線基板８２４の一端（左端）にコネクタ８２７を設けてある。
【００６９】
ケース本体８２２は、横長長方形の前面板部のほぼ中央に、前方に膨出した横長な膨出部８２８を形成し、この膨出部８２８の前面に円形の釦用開口部８２９を２つ開設し、前面板部の上下の長辺の左右端部から後方に向けて壁部８３０をそれぞれ形成して左右の壁部８３０の間に切欠部８３１を形成し、一方（左側）の短辺の後方は開放したままだが、他方（右側）の短辺から後方に向けて側壁８３２を形成するとともに、該側壁８３２と長辺の右側に形成した上下の壁部８３０とを接続する。そして、長辺の一方（左側）に形成した前記壁部８３０の一端を延設して、先端がフック状に折り返されて一側方に向けて突出した係合腕８３３を上下一対形成し、各係合腕８３３のフック状折り返し部分の内側空部内に、裏蓋部材８２３の一端に形成する係合部８３４を係合可能とし、すなわち、一対の係合腕８３３の内側空部が係合受部を構成し、前記折り返し部分の外側を当該パチンコ機側に対する係止部８３５としてある。また、ケース本体８２２の他側に形成した側壁８３２の片半（上半）部分に、裏蓋部材８２３の他端に形成する係合爪部８３６が係合する係合爪受部８３７として開口を開設し、残部（下半）にユニット係合爪部８３８を形成する。このユニット係合爪部８３８は、貸し球スイッチユニット８１１をパチンコ機１側に対する係合ための爪部であり、側壁８３２にスリットを平行に形成するとともに両スリットの間の側壁８３２の後端からＵ字状に折り返し延設して爪部を形成してある。なお、この爪部は、外側の面（右側面）に、後方から前方に向けて厚みが増大するような斜面を形成し、厚みが最大になった部位から前方に段差を設けて板厚を斜面の基端の厚みに戻した形状に成形されている。
【００７０】
この様な構成からなるケース本体８２２には２つの操作釦８０１ａ，８０１ｂを設けるが、両操作釦８０１ａ，８０１ｂは釦ベース８３９に取り付けた状態で設ける。なお、本実施形態では、左側の操作釦８０１ａが貸し球用であり、右側の操作釦８０１ｂがプリペイドカード等の記憶媒体を返却するための操作釦である。
【００７１】
釦ベース８３９は、ほぼ中央に開設した開口部８４０の両側に円形の釦穴８４１を開設した横長な板材であり、釦穴８４１の開口縁には操作釦８０１の後端が嵌合して操作釦８０１のストロークストッパとなる段差状の釦底受部８４２を形成するとともに、相対向する位置に切欠部状の爪受部８４７を形成し、配線基板８２４のコネクタ８２７とは反対側の端部に脚部８４３を後方に向けて立設し、長辺の一部分に突片８４４を上方と下方に延設し、背面の上部と下部からは配線基板８２４の押さえとなる突片８４５を上方のものは突出寸法を長く、下方のものは突出長さを短くして長手方向に沿って立設する。
【００７２】
操作釦８０１は、底部を手前にして操作面とした有底円筒体状の部材であり、後端から係止爪８４６を後方に向けて突設するとともに係止爪８４６の基端から円筒部分の底部近傍に向けてスリットを形成して係止爪８４６の弾性を確保している。なお、係止爪８４６は傾斜面が外側に突出するように形成されている。この操作釦８０１を釦ベース８３９に組み付けるには、両係止爪８４６を内側に撓ませた状態で釦ベース８３９の前面側から後退させて係止爪８４６を釦穴８４１の爪受部８４７内に挿入する。この状態で押し入れると、係止爪８４６の傾斜面が釦穴８４１の開口縁に押圧されるので両係止爪８４６の間隔が更に減少し、さらに後退させて係止爪８４６が爪受部８４７の裏側を通過するまで挿入すると、係止爪８４６が弾性により戻って両係止爪８４６の間隔が広がり釦穴８４１から外れない状態になる。この状態になっても操作釦８０１の筒部の後端から釦底受部８４２までは数ミリの間隔があり、この間隔が当該操作釦８０１のストロークとなり、このストローク分だけ操作釦８０１が進退可能となる。なお、本実施形態では、釦ベース８３９を配線基板８２４などと組み付けると、スイッチ８２１の内部に設けられている戻りスプリングの付勢力により操作釦８０１が前方に押出されるように構成されている。また、操作釦８０１を十分に押し込むと操作釦８０１の筒部の後端が釦底受部８４２に当接して操作釦のストロークを規制している。すなわち、釦底受部８４２が操作釦８０１のストッパとして機能するので、スイッチ８２１を過剰に押圧することを防止することができる。
【００７３】
裏蓋部材８２３は、横長な合成樹脂製の板材であり、一端（左端）に、全幅をクランク状に段差を設けることにより係合部８３４を形成し、この係合部８３４の前方に高くなった面に下方から上方に向かって次第に低くなる内起立壁８４８を立設し、他端にはケース本体８２２の係合爪受部８３７に対応する位置に係合爪部８３６を前方に向けて立設し、上下の長辺からはケース本体８２２の切欠部８３１内に嵌合する起立壁８４９を前方に向けて立設し、両起立壁８４９の先端に、釦ベース８３９の突片８４５が嵌合する切欠状の突片受部８５０を形成し、両起立壁８４９の間には、突出高さが低い壁状の基板受部８５１ａを上方に、突出高さが高い基板受部８５１ｂを下方に配置して立設してある。したがって、内起立壁８４８と基板受部８５１ａと基板受部８５１ｂとの上に配線基板８２４を載せると、配線基板８２４の上方が低くて下方が高い傾斜状態となり、これによりデジタル表示器８２５も傾斜するので、遊技者側から視認し易くなる。また、上記した係合爪部８３６は、ケース本体８２２の係合爪受部８３７に係合する先端断面がやじり状に成形された門形爪であり、内側の面に、先端から後端に向かって次第に厚さが増加する傾斜面を形成してある。また、基板受部８５１には、配線基板８２４に開設した位置決め孔８５２内に嵌合して配線基板８２４を位置決めする位置決め突起８５３を突設してある。
【００７４】
次に、上記した各部品を組み付けて一体化する貸し球スイッチユニット８１１の組立手順について説明する。
先ず、裏蓋部材８２３の基板受部８５１ａ，８５１ｂ上に、コネクタ８２７を一端（左側）に向けた状態で配線基板８２４を載せて位置決め孔８５２内に位置決め突起８５３を嵌合して配線基板８２４の位置決めを行う。次に、釦ベース８３９を配線基板８２４の上に被せる。この時、釦ベース８３９の突片８４４を裏蓋部材８２３の突片受部８５０内に嵌合して位置を合わせると、開口部８４０内に配線基板８２４のセグメント表示器８２５及び発光素子８２６が位置して見え、また、操作釦８０１の後端がスイッチ８２１の作用子に当接する。この状態で、図４６（ｂ）に示すように、ケース本体８２２の一端（左端）に形成してあるフック状係合腕８３３の係合受部８５４内に裏蓋部材８２３の一端の係合部８３４を斜めに係合し、この状態でケース本体８２２の他端を裏蓋部材８２３の他端側（右側）に被せる。すると、ケース本体８２２の側壁８３２の後端が裏蓋部材８２３の他端に立設してある係合爪部８３６の傾斜面に当接し、ケース本体８２２を裏蓋部材８２３側に押圧すると、係合爪部８３６が外側に撓み、図４７（ａ）に示すように、さらに押圧すると、係合爪部８３６の傾斜面の後端の段差部分がケース本体８２２の係合爪受部８３７に係合し、図４７（ｂ）に示すように、貸し球スイッチユニット８１１の組立が終了する。
なお、この様にして貸し球スイッチユニット８１１を組み立てると、ユニット係合爪部８３８が係合爪部８３６よりも外側（右側）に突出するように各部の寸法が設定されている。  
【００７５】
次に、この貸し球スイッチユニット８１１を透明部材保持枠８に対する取付手順について説明する。
前記したように、保持枠本体８０５の前面には、貸し球スイッチユニット８１１を収納するユニット収納室８１３が奥に凹ませて前面が開口した状態で形成されており、このユニット収納室８１３は、図４８及び図５０に示すように、貸し球スイッチユニット８１１の左右幅よりも十分広い左右幅を有し、内部の一側（左側）に、上記開口の近傍に突起状の引っ掛け部材８６０を上下二箇所設け、該引っ掛け部材８６０の奥に、貸し球スイッチユニット８１１の一端に設けた係止部８３５が係止可能な係止開口部８６１を形成し、また、ユニット収納室８１３の他側（右側）の側壁８６２の前端部分から開口縁にかけての角部に係合爪受部８６３を形成する。この係合爪受部８６３は、貸し球スイッチユニット８１１の他端に設けたユニット係合爪部８３８が係合可能な部分であり、ユニット係合爪部８３８の自然状態における突出長さよりも短い寸法で開口したものである。
【００７６】
このユニット収納室８１３内に貸し球スイッチユニット８１１を取り付けるには、図４９及び図５０に示すように、先ず、貸し球スイッチユニット８１１の一端をユニット収納室８１３内に斜めにした状態で差し込んで、係止部８３５の先端を引っ掛け部材８６０の後方の係止開口部８６１内に挿入する。このとき、ユニット収納室８１３の奥の壁面には逃げ開口部８６４が開設されているので、ユニット収納室８１３の奥行きが貸し球スイッチユニット８１１の奥行きとほぼ同じ寸法であっても、係止部８３５の後端が逃げ開口部８６４内に入って奥の壁面と干渉することなく係止開口部８６１内に挿入することができる。
【００７７】
この様にして、貸し球スイッチユニット８１１の一端の係止部８３５をユニット収納室８１３の係止開口部８６１に係止したならば、貸し球スイッチユニット８１１の他端側を後退させ、ユニット係合爪部８３８をユニット収納室８１３の係合爪受部８６３に合わせ、さらに後退させる。すると、ユニット係合爪部８３８の傾斜面が係合爪受部８６３の縁に当接し、さらに後退させるとユニット係合爪部８３８が操作釦８０１側に押圧されて撓む。そして、十分に押圧すると、傾斜面が係合爪受部８６３の縁を通過して、通過した時点でユニット係合爪部８３８が弾性により復元して傾斜面の手前の段差部が係合爪受部８６３の縁に係合し、これにより貸し球スイッチユニット８１１が前方に外れない状態となる。
【００７８】
この様に、本実施形態に係る貸し球スイッチユニット８１１は、ネジなどの止着部材やドライバーなどの工具を使用しなくても、簡単な操作で取り付けることができる。そして、貸し球スイッチユニット８１１を保持枠本体８０５の前面に取り付けたならば、保持枠本体８０５の前面にカバー部材８０９を被せて、カバー部材８０９に開設したある開口部内に、貸し球スイッチユニット８１１の膨出部８２８が裏側から嵌合され、パチンコ機１の前面から操作釦８０１ａ，８０１ｂを操作できる状態となり、また、遊技者側から遊技価値を表示するセグメント表示器８２５や発光素子８２６が見える。そして、本実施形態では、配線基板８２４の上端が後方に後退した傾斜状態でセグメント表示器８２５が設けられているので、遊技者からセグメント表示器８２５の表示が見やすい。
【００７９】
なお、前記実施形態においては、裏蓋部材８２３の一端に係合部８３４を設け、ケース本体８２２の一端に係合受部８５４を設けたが、逆の配置、すなわち、裏蓋部材８２３の一端に係合受部を設け、ケース本体８２２の一端に係合部を設けてもよい。また、裏蓋部材８２３の他端に係合爪部８３６を設け、ケース本体８２２の他端に係合爪受部８３７を設けたが、裏蓋部材８２３の他端に係合爪受部を設け、ケース本体８２２の他端に係合爪部を設けてもよい。
【００８０】
次に、上皿ユニット１０と下皿ユニット１１について説明する。
上皿ユニット１０（本発明における貯留皿ユニットに相当）は、図５３から図５６に示すように、内枠３の軸着側縁部に設けられたヒンジ金具３０９，３１０（図１２参照）へ開閉可能に軸着される開閉パネル４７と、該開閉パネル４７の前面側に設けられる上皿４８（本発明における貯留皿に相当）と、該上皿４８の前方および下方を覆う上皿カバー部材４９（貯留皿カバー部材）と、開閉パネル４７の裏面側に備えられた球止めユニット５０とから概略構成されている。そして、内枠３に対して開閉可能な状態で取り付けられている。
【００８１】
開閉パネル４７は、上皿ユニット１０のベースとなる部材であり、図５４に示すように、装飾性を高めたフロントパネル４７ａと金属製のリアパネル４７ｂとを重合し、フロントパネル４７ａの一側（図中左側）を軸着部（ヒンジ部）５１により内枠３に軸着されている（図４参照）。そして、開閉パネル４７は、フロントパネル４７ａの他側（図中右側）、すなわち軸着部側とは反対側に位置する開放側の端部には、上方へ付勢されながら上下にスライド可能な係止爪５３を後方に延設して、内枠３に固定された下皿ユニット１１の係止片５４（図６０参照）にこの係止爪５３を下から係止することで、上皿ユニット１０の閉状態を維持できるように構成されている。また、開閉パネル４７は、係止爪５３を下へ移動させる係止爪操作部５５（係止部用操作部）を上部に備えて、係止爪５３の係止状態を解除できるように構成されている。
【００８２】
したがって、開閉パネル４７は、透明部材保持枠８を開いて上皿ユニット１０の上部に係止爪操作部５５を出現させ、この係止爪操作部５５を下方に押し込んで、係止爪５３と係止片５４との係止状態を解除すると、上皿ユニット１０を閉状態から開状態への変換を許容することができる。
【００８３】
また、開閉パネル４７は、軸着部側寄り（一側寄り、図中左寄り）に球排出装置２８から排出された遊技球が出てくるための上皿球出口４７ｃを開設し、該上皿球出口４７ｃから後方に内枠３の球流下路３０と連通可能な接続樋３４を延設している。さらに、この開閉パネル４７は、上皿ユニット１０の開放側寄り（他側寄り、図中右寄り）に貫通開口５６を形成し、上皿４８に貯留された遊技球を発射装置１４へ供給するための球案内流路５７（図６１参照）を貫通開口５６から後方に向けて形成している。
【００８４】
そして、開閉パネル４７は、下端中央周辺に下向きコ字状のパネル切欠部５８を開設している。このパネル切欠部５８は、上皿ユニット１０の開閉時にスピーカーユニット１２の上部が接触しない程度の空部を設けて形成されている。
【００８５】
さらに、開閉パネル４７は、透明部材保持枠８の下縁に合わせた形状となるようにフロントパネル４７ａおよびリアパネル４７ｂの上縁を形成し、リアパネル４７ｂの上縁からコ字状に不正防止壁５９を透明部材保持枠８の下縁よりも上方へ延設し、この不正防止壁５９により、開閉パネル４７と透明部材保持枠８との間隙から針金等の不正部材が侵入するのを防止している。
【００８６】
上皿４８は、発射装置１４へ供給する遊技球を一時貯留するためのものであり、開閉パネル４７から前方へ延設された略半ラケット状の上皿本体により当該上皿４８の前部、両側部および下部を構成し、開閉パネル４７により当該上皿４８の後部開放部分を塞いで遊技球を貯留できる上面開放の窪み状の球貯留部として構成されている。そして、この上皿４８は、前後幅を次第に狭くして遊技球を１列に整列する球整列部６０を形成し、この球整列部６０の流下端部が開閉パネル４７の貫通開口５６に連通し、貫通開口５６から球案内流路５７を通って球送出口５７を通過して発射装置１４側へ流下できるように構成されている。
【００８７】
なお、図６１に示すように、貫通開口５６の直前には、球抜きシャッター６１をスライド可能に設け、上皿ユニット１０の前面に設けた球抜き操作部６２を操作すると球抜きシャッター６１が移動して球整列部６０の床面を開口し、ここから球抜き流路６３を通って上皿４８内の遊技球が下皿に流下できるように構成してある。
【００８８】
また、上皿ユニット１０側に設けた球案内流路５７は、球送出口６６が上皿ユニット１０の裏側であって開放端寄りに開口している。この球案内流路５７は、上皿４８に貯留された遊技球を発射装置１４へ案内するための通路であり、図６１に示すように、上皿４８から球止めユニット５０を通って遊技球が丁度１列に整列できるように形成されている。なお、球止めユニット５０については後述する。
【００８９】
上皿カバー部材４９は、上皿４８および球案内流路５７の前方を保護および装飾する中空の部材であり、開閉パネル４７の前面から遊技者側へ突出（膨出）した形状で設けられている。この上皿カバー部材４９は、スピーカーユニット１２を収納するために、上皿４８の下方に、下側および後側が開口された第１空間６４を当該上皿カバー部材４９の前面部分の裏側から開閉パネル４７のパネル切欠部５８に亘って区画形成し（図５５参照）、スピーカーユニット１２の上部が十分に収納できるように構成されている。また、上皿カバー部材４９は、第１空間６４の前方に円形状の透音カバー部材６５を備えている。この透音カバー部材６５は、下半部が上皿カバー部材４９の下縁から下皿ユニット１１の前面に向かって延設された状態で形成され、上皿ユニット１０を閉じると、下皿ユニット１１と上皿ユニット１０とが透音カバー部材６５とその近傍の部分で上下に連続しているようにデザインされている。
【００９０】
球止めユニット５０は、上皿ユニット１０が開かれたときに、球案内流路５７の球送出口６６から上皿内の遊技球が開閉パネル４７の後方へ流下するのを止めるためのものであり、図５６及び図６１に示すように、開閉パネル４７の裏側に取り付けられる球止めベース７０を設け、該球止めベース７０の内部に球案内流路５７を形成し、この球案内流路５７の下流側開口（出口）を球送り装置への球送出口６６としている。また、球送出口６６は、開閉パネル４７、すなわち上皿ユニット１０を内枠３に対して閉じた状態で球送り装置７１の球受入口７２に連通するようにして設けられている。
【００９１】
なお、上皿ユニット１０（開閉パネル４７）を閉じた場合に、開閉パネル４７の裏面側に設けられた係合部３５に係合する被係合部３６を前記取付ベース部材１００に設けてあるので、球案内流路５７の球送出口６６と球送り装置７１の球受入口７２とが円滑に連通し、球止まりが生じないように構成されている。なお、図面に示す係合部３５は短い筒状であり、被係合部３６は先端にテーパーを形成した短い筒状体として構成されて、テーパー部分がガイド部として機能し、円滑な係合ができるようにしてある。
【００９２】
また、球止めユニット５０は、球送出口６６を開閉可能な略Ｌ字形状の球止め部材７３を上皿ユニット１０（あるいは開閉パネル４７、球止めベース７０）に対して回動可能に軸着している。この球止め部材７３は、コイルばね等の付勢部材（図示せず）により、開状態から閉状態へ変換する方向に付勢されるように、すなわち、常態では球送出口６６が閉状態となるように付勢されている。そして、球止め部材７３は、球送り装置７１の前面に突設された球止め部材変換部７４（図６及び図６３参照）と係合することにより、上皿ユニット１０の開閉動作に伴って状態変換することができる。なお、球止め部材変換部７４は、前端面を上皿ユニット１０の開放側（図中右側）から軸着側（図中左側）へ向かって前方へ傾斜させて、当接した球止め部材７３を摺動させる台形状のカム面となるように形成されている。
【００９３】
このような構成により、上皿ユニット１０を閉じる方向に回動すると、球止め部材変換部７４が球止め部材７３を摺接しながら付勢部材の付勢力に抗して右側に移動し、これにより球止め部材７３は、パチンコ機１の正面から見て時計回りに回動させられて開状態に変換する。また、上皿ユニット１０を開く方向に回動すると、球止め部材変換部７４が球止め部材７３を付勢部材の付勢力により左側に移動するのを許容し、これにより球止め部材７３は、パチンコ機１の正面から見て反時計回りに回動して閉状態に変換する。
【００９４】
また、前記上皿カバー部材４９の上面部分のほぼ中央、具体的には上皿４８の上面開口部の前後幅が急に小さくなる部分に外部操作部７５を設けてある。この外部操作部７５は、遊技者が遊技に技術介入する時に操作する操作部であり、例えば可変表示装置において行われる可変表示ゲームにおいて、リーチが成立したことを条件に操作し（言い換えると、リーチが成立した後に操作し）、この操作により、識別不能な速さで可変表示される識別情報の変換を停止させるものである。そして、この外部操作部７５はどのような構成のスイッチでもよい。
【００９５】
例えば、図５７に示すように、押しボタン７６と、ばね７７と、押しボタン７６の押し込み操作により信号を送出するスイッチ本体７８と、これらを装着してユニット化する外部操作ベース７９などにより構成してもよい。
具体的に説明すると、外部操作ベース７９は、上皿カバー部材４９の上面に形成した略三日月形の切欠部４９ａに下方から嵌合可能な略三日月形を呈する部材であり、外周下端には、上記切欠部４９ａに嵌合したときに上皿カバー部材４９の内面に当接する鍔部７９ａを有し、上面のほぼ中央には、その長手方向に沿って略楕円形の開口部７９ｂを開設し、この開口部７９ｂの縁から下方に向けて下面開放の筒状部７９ｃを形成し、この筒状部７９ｃの下端開口部分に底蓋材７９ｄを取り付けて塞いである。なお、筒状部７９ｃの内面は、押しボタン７６が昇降する際のガイド面として機能する。
【００９６】
押しボタン７６は、上記開口部７９ｂ内に遊嵌可能な大きさに形成した略楕円形のボタンベース７６ａと、このボタンベース７６ａの上面に被せる略楕円形のキャップ状ボタン部７６ｂとからなり、ボタンベース７６ａの側面に形成した止め部７６ｃとボタン部７６ｂの側面に形成した受部７６ｄとを係合することにより一体化される。そして、上記ボタンベース７６ａの外周部分から下方に向けてガイド片７６ｅを４つ延設し、長径端部近傍にストローク規制片７６ｆを下方に向けて２つ延設し、下面のほぼ中央にばね７７の上端が嵌合可能なリング状のばね係合部７６ｇを突設し、このばね係合部７６ｇと上記ストローク規制片７６ｆの間に、スイッチ作用部として機能する遮光片７６ｈを下向きに突設してある。なお、本実施形態におけるばね７７はコイルばねを使用しているので、ばね係合部７６ｇは、コイルばねの上端が嵌合可能な短筒状に形成してある。
【００９７】
スイッチ本体７８は、発光部７８ａと受光部７８ｂとを所定の間隔７８ｃを開けて一体化し、発光部７８ａからの光を受光部７８ｂで受光する状態でオフになり、非受光状態でオンになり、スイッチ基板７８ｄ上に取り付けられている。そして、このスイッチ基板７８ｄは、底蓋材７９ｄ上に取り付けられ、底蓋材７９ｄが外部操作ベース７９の筒状部７９ｃの下端に取り付けられると、筒状部７９ｃ内の中央よりも一方に寄った位置に、発光部７８ａと受光部７８ｂとの間の間隔７８ｃを上に開口した状態で配置される。なお、底蓋材７９ｄを取り付ける場合には、底蓋材７９ｄの一端に形成した段部７９ｉを、外部操作ベース７９の筒状部７９ｃの底部に形成した受部（図示せず）に引っ掛け、底蓋材７９ｄの他端に設けた取付片７９ｊの孔内にねじを挿入し、このネジを外部操作ベース７９のネジ孔にねじ込んで固定する。
【００９８】
そして、ばね７７の下端をスイッチ基板７８ｄ上に当接して上端を押しボタン７６のばね係合部７６ｇに係合した状態で押しボタン７６を外部操作ベース７９の開口部７９ｂ内に上方から挿入する。なお、挿入する時には、両ストローク規制片７６ｆの下端を近づける方向に撓ませた状態で各ストローク規制片７６ｆの下端に形成してある鏃状の係止部を、筒状部７９ｃの内面に形成してあるストッパ部（図示せず）を通過させ、通過したならばストローク規制片７６ｆの撓みをリリースする。
【００９９】
この様にして、外部操作ベース７９に押しボタン７６とばね７７などの部品を組み付けると、押しボタン７６がばね７７の弾性復元力により付勢されて上昇し、ストローク規制片７６ｆの係止部がストッパに係止して最上位置で停止する。この最上位置で押しボタン７６が停止すると、キャップ状のボタン部７６ｂを外部操作ベース７９の上面から比較的大きく突出させた状態となり、遮光片７６ｈがスイッチ本体７８の隙間７８ｃから外れてオフとなる。
【０１００】
そして、遊技者が押しボタン７６をばね７７の付勢力に抗して手で下方に押すと、押しボタン７６が下降して遮光片７６ｈがスイッチ本体７８の間隔７８ｃ内に進入して発光部７８ａからの光を遮り、これによりスイッチ本体７８がオンになる。なお、押しボタン７６は、上から押圧されて下降する際に、ガイド片７６ｅが筒状部７９ｃの内面を摺動しながら案内するので、遊技者がボタン部７６ｂの隅を押したり乱暴に操作しても傾くことなく円滑に下降し、ストッパに当接して最下位置に到達するまで下降する。
また、遊技者が押しボタンから手を離すと、ばね７７の付勢力により押しボタン７６が上昇して遮光片７６ｈがスイッチ本体７８の間隔７８ｃから外れるのでオフに戻る。そして、ストローク規制片７６ｆの係止部が筒状部内面のストッパに当たって最上位置で停止する。
【０１０１】
本実施形態ではスイッチ本体７８として、非接触タイプのスイッチである光センサを用いるので、万一乱暴に操作されたとしてもトラブルの発生がない。
なお、外部操作部７５が有効になる条件は、前記リーチに限定されるものではなく、また、操作の結果としては、可変表示を停止するだけではなく、遊技に技術介入できればどのような作用でもよい。
【０１０２】
次に、下皿ユニット１１について説明する。
下皿ユニット１１は、図５９および図６０に示すように、内枠３の下部に取り付けられる取付ベース８０と、該取付ベース８０の前面に設けられる下皿８１と、該下皿８１の前面、側面および下面を覆う下皿カバー部材８２とから概略構成されている。そして、右側（上皿ユニット１０の開放側、内枠３の開放側に位置する部分）には、延出部８３を上縁が透明部材保持枠８の下縁まで延出された状態で設けて、全体の形状が略倒Ｌ字形状を呈している。そして、下皿ユニット１１は、下皿８１の左側（上皿ユニット１０の軸着側）に灰皿８４を備え、延出部８３の前面側下部に、発射装置１４の遊技球発射勢を調整するために遊技者が操作する発射操作ユニット８５（発射操作ハンドル）を備えている。なお、発射操作ユニット８５は、本発明における発射操作手段に相当する。
【０１０３】
取付ベース８０は、下皿ユニット１１のベースとなる略倒Ｌ字状の部材であり、遊技球が下皿８１に流入するための下皿球出口８６を開設し、該下皿球出口８６に、前記オーバーフロー流路３２とファール球等の球回収流路４２１と上皿４８からの球抜き流路６３等を合流させて連通させている。
【０１０４】
また、この取付ベース８０は、上縁を開閉パネル４７の下縁やパネル切欠部５８に合わせた形状に形成し、上皿ユニット１０の開放端（図中右端）よりも外側には延出ベースを形成する。この延出ベースは、延出部８３のベースとなる部分であり、透明部材保持枠８の開放側（図中右側）の下端まで延出されており、上皿ユニット１０が閉じた状態で上皿ユニット１０側の係止爪５３が係止できるように金属製の係止片５４が固定されている。
【０１０５】
そして、この取付ベース８０は、上縁および延出ベースの裏側から不正防止壁８７を開閉パネル４７の下縁あるいは透明部材保持枠８の開放端側（図中右側）の下縁よりも上方に達する状態で延設し、この不正防止壁８７により、下皿ユニット１１と上皿ユニット１０との間、および下皿ユニット１１と透明部材保持枠８との間から針金等の不正部材が侵入するのを防止している。
【０１０６】
下皿８１は、下皿本体と取付ベース８０とで区画されたて上方が開放（開口）した窪部内に遊技球を貯留できるように構成され、上皿４８の右斜め下方（発射操作ユニット８５寄りの下方）に、下皿球出口８６と連通した状態で配設されている。また、この下皿８１は、底部に開閉可能な取出口を備えており、取出しレバー８８を操作して開閉プレートの貫通孔と取出口とを連通させると下皿８１から遊技球を下方に落下できるように構成されている。
【０１０７】
下皿カバー部材８２は、取付ベース８０の前面から遊技者側へ突出（膨出）した形状を呈しており、前面突出部を上皿カバー部材４９の前面突出部と略同じ位置まで突出させている。さらに、延出ベースと重なる箇所に延出部８３の前側部分となる延出カバー部材８０９を有する。このような構成を採ることにより、下皿カバー部材８２は、下皿ユニット１１と上皿ユニット１０とが一体化しているかのように見えるデザインとすることができる。また、この下皿カバー部材８２は、下皿８１と灰皿８４との間に第２空間８９を区画形成し、該第２空間８９内にスピーカーユニット１２の下部を収納可能にしている。
【０１０８】
発射操作ユニット８５は、図５９に示すように、下皿ユニット１１の延出部８３に取り付ける支持部９０と、該支持部９０の前端に設けられて、遊技者が操作時に把持する把持部９１と、支持部９０と把持部９１との間に回動可能に保持されて遊技球の発射勢を調整操作するための回動操作部９２と、該回動操作部９２から外側に突出した複数の指掛部９３と、静電容量の変化を感知することで遊技者が把持部９１に触れていることを検出するタッチセンサー部（タッチ検出手段）とにより概略構成されている。そして、発射操作ユニット８５は、タッチセンサーで遊技者が触れていることを検出し、且つ回動操作部９２を回動することで、発射装置１４の発射バネの強さを調整して遊技球を発射するように構成されている。
【０１０９】
上記のような上皿ユニット１０および下皿ユニット１１を備えたパチンコ機１は、上皿ユニット１０の下面部と下皿ユニット１１の上面部とを近接させ、従来よりも上皿４８の位置を低くしている。したがって、限られたサイズのパチンコ機１であっても、遊技盤５の上下寸法よりも透明部材保持枠８を大きくすることができ、上皿ユニット１０を開かずに透明部材保持枠８を開いただけで遊技盤５の前面から交換作業を行うことができる。そして、下皿ユニット１１は、上皿ユニット１０の開放側端部の側方に発射操作ユニット８５の取付箇所、すなわち延出部８３を設けて、上皿ユニット１０の下方および開放側端部の側方を囲むように配設されている。したがって、このパチンコ機１は、上皿ユニット１０や下皿ユニット１１の高さ寸法を低く抑えても、発射操作ユニット８５を取り付ける領域を十分に確保することができる。このことからも、パチンコ機１のデザインの自由度を拡げて、遊技の興趣を高めることができる。
【０１１０】
次に、発射装置１４について説明する。
発射装置１４は、上皿４８に貯留された遊技球を遊技盤５の遊技領域６に向けて１個ずつ発射可能な装置であり、図６３に示すように、内枠３の遊技盤載置台１３の前面壁部４０５に取り付け可能なマグネシューム鍛造製のプレート材からなる取付ベース部材１００と、該取付ベース部材１００に取り付けられて、遊技球の発射方向へ上り傾斜するように延設された発射レール１０１と、該発射レール１０１上の遊技球をばねの付勢力によって弾発する発射杵１０２と、該発射杵１０２を付勢力に抗して後退駆動するための発射駆動源と、発射杵１０２の動きと連動して上皿４８に貯留された遊技球を発射レール１０１上に供給する球送り装置７１とを一体的に構成している。なお、発射駆動源の発射モータ１０３をオン・オフする発射スイッチ（図示せず）は、発射操作ユニット８５の内側に組み込まれており、発射操作ユニット８５が遊技者によって操作されたことを検出して発射モータ１０３をオンにし、操作されていない常態では発射モータ１０３をオフにしている。
【０１１１】
発射レール１０１は、発射装置１４から打ち出す遊技球を発射方向にガイドするための部材であり、取付ベース部材１００の左寄りの前面側に、遊技球の発射方向となる左斜め上方向へ上り傾斜するように延設され、球送り装置７１の下方に位置する傾斜下端部分に遊技球発射位置１０４を設定している。そして、この発射レール１０１は、傾斜上面に、断面略Ｖ字状の溝部１０５を発射レール１０１の長手方向（発射方向）に沿って形成し、該溝部１０５により球送り装置７１から供給された遊技球や遊技球発射位置１０４から発射された遊技球が横方向へブレることなくガイドできるように構成されている。なお、上記した溝部１０５は、断面Ｍ字状に曲折したステンレス等の金属板１０１ａを基部１０１ｂの上面に被せて形成してもよい。また、この金属板１０１ａはメッキ処理して、遊技球が接する面の表面強度を高めてもよい。この場合、発射レール１０１の上面の傾斜下側の約半分にメッキを施し、遊技球発射位置１０４にはメッキを厚くして上方になるにつれて徐々に薄くしてもよい。
【０１１２】
発射杵１０２は、回動動作により遊技球発射位置１０４に供給された遊技球を弾発する略逆Ｌ字状の部材である。この発射杵１０２は、発射レール１０１の遊技球発射位置１０４よりも上方の位置に回動軸１０６を設け、該回動軸１０６により取付ベース部材１００に対して回動自在な状態で軸着され、回動軸１０６の前端からアーム１０２ａを下方に向けて延設し、該アーム１０２ａの下端に杵先１０２ｂを発射レール１０１側へ向けて設けてある。このようにして発射杵１０２は、杵先１０２ｂを回動軸１０６の周りに回動（移動）自在とし、発射レール１０１の下端上方で時計回りに回動すると、杵先１０２ｂを発射方向へ移動して遊技球発射位置１０４に臨ませることができる。なお、杵先１０２ｂは、コイルばね等の弾性体により構成されている。
【０１１３】
そして、この発射杵１０２は、回動軸１０６よりも上方に延びた端部１０２ｃを、回動軸１０６を挟んで遊技球発射位置１０４とは反対側に配設された緩衝ゴム１０７に当接させて回動範囲を規制し、杵先１０２ｂが遊技球発射位置１０４よりも先方に移動しないように構成されている。
【０１１４】
また、発射杵１０２は、図６５に示すように、取付ベース部材１００の裏側であって回動軸１０６の後側端部にケーシング１０８を前後に分割した状態で接続し、該ケーシング１０８内に付勢部材として収納したばね１０９により遊技球発射位置１０４に向けて付勢されている。このばね１０９は、ねじりコイルばねであり、一端をケーシング１０８のうち取付ベース部材１００側に位置する第１ケーシング部材１０８ａに、他端を第１ケーシング部材１０８ａと対向する第２ケーシング部材１０８ｂにそれぞれ係止している。
【０１１５】
第１ケーシング部材１０８ａは、回動軸１０６に対して別個に回動自在な状態、すなわちフリーな状態で取り付けられており、外周面に形成した円弧状のケーシング回動ギア１１０を設け、このケーシング回動ギア１１０と発射操作ユニット８５とを間に伝達機構を介して接続している。伝達機構は発射操作ユニット８５の操作量に応じて第１ケーシング部材１０８ａを回動することができればどのような構成でもよいが、本実施形態では取付ベース部材１００の前面側に配設されて発射操作ユニット８５の軸との間でカップリングとして機能する伝達部材１１１、伝達部材１１１と同軸の伝達ギア１１２、伝達ギア１１２とケーシング回動ギア１１０とに噛合した連結ギア１１３により構成されている。このような構成により第１ケーシング部材１０８ａは、発射操作ユニット８５からの操作回動量（操作入力）に対応してばね１０９との係止位置、すなわちばね１０９の端部を円周上に沿って移動させることができる。したがって、第１ケーシング部材１０８ａは、ばね１０９の巻きを絞め込んだり緩めたりして操作し、この操作の程度に応じてばね１０９の復元力（弾性力）を変化させることになる。これにより発射杵１０２の打ち出し回動速度を変化させて、遊技球の飛距離調整を行うことができる。
【０１１６】
一方、第２ケーシング部材１０８ｂは、本発明の当接部材としても機能する略円盤状の部材であり、内側に回動軸１０６の後側端部を固定して、取付ベース部材１００に対して発射杵１０２と一体になって回動できるように構成されている。また、第２ケーシング部材１０８ｂは、外周面から腕状のカムフォロワ１１４を延設し、該カムフォロワ１１４の先端に設けたローラ１１５を設け、このローラ１１５が発射モータ１０３によって回転する発射カム１１６に当接している。この発射カム１１６は、発射モータ１０３の回転軸に取り付けられて回動方向に沿ってカム面を徐々に高くした略曲球状であり、カム面にカムフォロワ１１４を当接したまま前方から見て時計回りに回転すると、カムフォロワ１１４とともに第２ケーシング部材１０８ｂを反時計回りに回動させて、発射杵１０２の杵先１０２ｂを遊技球発射位置１０４から後退させることができる。そして、カムフォロワ１１４がカム面の最高点に到達すると、回動する発射カム１１６は、このカムフォロワ１１４を一旦カム面から外し、ばね１０９の付勢力により第２ケーシング部材１０８ｂを戻り回動させ、これにより、発射杵１０２も併せて戻り回動し、杵先１０２ｂが遊技球発射位置１０４に突入する。このように発射カム１１６を発射モータ１０３で回動することで、発射杵１０２に、遊技球発射位置１０４から離隔する方向に杵先１０２ｂを移動して遊技球の発射動作を行わせることができる。なお、引き続き発射カム１１６が回動すると、この発射カム１１６は、戻り回動したカムフォロワ１１４を再び当接して回動させて、次の発射動作の準備を行うことができる。
【０１１７】
また、第２ケーシング１０８ｂは、カムフォロワ１１４とは反対側の外周面の一部を外方に延出してカム状の連動部１１７を形成してある。すなわち、当接部材としての第２ケーシング１０８ｂは略円盤状に形成され、連動部１１７は第２ケーシング１０８ｂの外周を外に延設した連動カムとして構成されている。この連動部１１７は、発射杵１０２の発射動作に連動して球送り装置７１を作動させる連動装置の一部を構成するものである。
【０１１８】
連動装置は、発射杵１０２の回動軸１０６に取り付けられ発射カム１１６に当接する当接部材（本実施形態では第２ケーシング１０８ｂ）に形成された連動部１１７と、この連動部１１７に当接し取付ベース部材１００に回動可能に取り付けられた連動伝達部材１１８とから概略構成されている。
【０１１９】
連動伝達部材１１８は、略く字状に成形した厚板部材であり、一側（上端部分）に設けられる回動軸１２０と、他側（下端部分）に設けられて連動カム（連動部１１７）側に付勢する錘１２１と、回動軸１２０と錘１２１との間であってく字状の凹部側に設けられ連動カム１１７に当接するローラ式の連動カム当接部１２２とからなり、連動カム当接部１２２とは反対側のく字状凸部には取付ベース部材１００側に向けて伝達軸１２３を突設してある。この伝達軸１２３は、取付ベース部材１００に開設した連動穴１２４内を貫通して、後述する球送り装置７１の球送り部材１２５に連繋し、発射杵１０２が遊技球発射位置１０４の遊技球を発射する位置に移動して連動カム当接部１２２が連動カム１１７から外れると、球送り部材１２５を球供給口側に回動して球供給口に遊技球を送出する軸である。
【０１２０】
次に、球送り装置７１について説明する．
球送り装置７１は、発射装置１４の取付ベース部材１００の前面にカバー部材１３０を設け、このカバー部材１３０の内部であって発射レール１０１の上方に位置するようにして配設されている。そして、この球送り装置７１は、貯留皿（上皿４８）から流下する遊技球を受け入れる球受入口７２と、遊技球を遊技球発射位置１０４へ供給するための球供給口１３１と、球受入口７２から受け入れた遊技球を前記球供給口１３１へ送出する球送り部材１２５とを備え、取付ベース部材１００に形成された連動穴１２４を介して、球送り部材１２５が前記した連動伝達部材１１８と係合して作動するように構成されている。
【０１２１】
具体的に説明すると、図６３に示すように、発射装置１４の取付ベース部材１００の前面であって、発射レール１０１の遊技球発射位置１０４にカバー部材１３０を設け、このカバー部材１３０の内部に、球受入口７２から入った遊技球が転動する球転動面１３２を有する球転動部材１３３を取付ベース部材１００の前面に突出した状態で設けるとともに、この球転動部材１３３の上方に球送り部材１２５を揺動可能な状態で軸着し、この球送り部材１２５を、取付ベース部材１００の裏側に設けた前記連動伝達部材１１８に、連動穴１２４に貫通させた伝達軸１２３を介して連繋してなる。
【０１２２】
カバー部材１３０は、図６４、図７０、及び図７１に示すように、取付ベース部材１００に、天井部分と、天井部分の一端から下り傾斜した傾斜部分と、傾斜部分の傾斜下端から下方に延出した側壁部分とを立設して壁部１３４を形成し、この壁部１３４の先端縁に多角形板状のカバー本体１３５を、一側のヒンジ機構１３６，１３６により開閉可能に取り付けて構成されている。そして、カバー本体１３５には、遊技球が一列で通過する大きさの球受入口７２を開設するとともに、前述した球止めユニット５０の球止め部材変換部７４が突設されている。したがって、上皿ユニット１０を閉じると、上皿ユニット１０側の球送出口６６が球送り装置７１側の球受入口７２に近接対向して球案内流路５７が球送り装置７１内の流路に連通するとともに、球止め部材変換部７４が球止めユニット５０のL字状の球止め部材７３を回動して閉じていた球送出口６６を開いて上皿４８内の遊技球を球送り装置７１に流下する状態に変換することができる。このため、上皿ユニット１０を閉じると、上皿４８内の遊技球が球案内流路５７を一列に整列した状態で球受入口７２を通って球送り装置７１の球転動部材１３３上に流下する。
【０１２３】
なお、本実施形態におけるカバー部材１３０はヒンジ機構１３６，１３６によりカバー本体１３５を開いてその状態で保持することができるので、例えば、球転動部材１３３の球転動面１３２など球送り装置７１の内部を清掃する作業が容易である。
【０１２４】
球転動部材１３３は、図６４に示すように、取付ベース部材１００の前面に添設されて遊技球が当接する球当接面１４０を前面に有する板状の板状部１４１と、この板状部１４１の下端から前方に突出した突出台部１４２とを一体成型したプラスチック製の部材である。そして、突出台部１４２の上部に球転動面１３２を左右一側（発射レール１０１の傾斜上端側であり球供給口１３１側である左側）に向けて僅かに下り傾斜させて緩傾斜面（遊技球１個が載る面）を形成し、且つ傾斜途中から更に急な角度で下り傾斜させた急傾斜面を連続させた状態で形成し、下部には前記遊技球発射位置１０４に遊技球を止める球止め面１４３をオーバーハングした状態、すなわち上記球転動面１３２の急傾斜面の傾斜下端が発射方向に突出して、この突出先端から遊技球発射位置１０４に向けて斜めに後退しながら下り傾斜する状態で形成し、また、突出台部１４２前面には止着用の孔１４４を開設する。この球転動部材１３３を取付ベース部材１００の前面の所定位置に、孔１４４に通したねじ１４５により固定すると、球転動面１３２の緩傾斜面が球案内流路５７の床面の傾斜下端に連続し、球転動面１３２の急傾斜面の傾斜下端と壁部１３４の下端との間に遊技球の直径よりも少し大きな上下寸法を有する球供給口１３１が発射レール１０１に向けて開口して、且つ発射方向側に向いた状態で形成され、球止め面１４３の傾斜下端と発射レール１０１の上面との間の寸法が遊技球の直径より少し小さくなって、この部分に遊技球を停止可能となる。
【０１２５】
球送り部材１２５は、図７２及び図７３に示すように、遊技球の半径よりも厚くて直径より薄い比較的厚い板材を下向き略コ字状に形成した部材であり、下端には遊技球が丁度１つ収納できる大きさの倒Ｕ字状の球受入空部１４７をその両側の脚部１４８の間に形成し、上端部分には連動伝達部材１１８の伝達軸１２３が遊嵌する前後方向に長い係合穴１４９を開設し、該係合穴１４９と球受入空部１４７との間に支軸１５０を嵌合する支軸用孔１５１を開設してある。そして、球供給口１３１側に位置する一方の脚部１４８については球送り部材１２５の板厚のままであるが、他方の脚部１４８については取付ベース部材１００とは反対側の部分、すなわち球受入口７２に対向した側を欠截して板厚をほぼ半分とし、この欠截した部分の球受入口７２側の面を待機面１５２とする。また、両脚部１４８の下部の裏面には、前記球当接面１４０に摺接する摺接面を有する摺接凸部１５３を後方（取付ベース部材側）に向けて突設する。なお、この球送り部材１２５の裏面側には、支軸用孔１５１のボス１５１´を先端が摺接凸部１５３の摺接面と同一平面となる突出長さに設定して形成してある。
【０１２６】
なお、球送り部材１２５に形成した待機面１５２は、球送り部材１２５が後述する受入状態から送出状態になり再び受入状態になるまでの回動中、次に球受入空部１４７に受け入れられる遊技球を受け止めて待機させておくための面である。また、前述した板状部１４１の球当接面１４０の大きさは、両脚部１４８，１４８の摺接面の回動範囲より大きく設定してあり、各脚部１４８が移動しても球当接面１４０から外れないように構成してある。
【０１２７】
この様な構成からなる球送り部材１２５を取付ベース部材１００の前面に取り付けるには、取付ベース部材１００の連動穴１２４内を挿通した伝達軸１２３の先端を係合穴１４９内に係合し、取付ベース部材１００の所定位置に立設した支軸１５０を支軸用孔１５１内に挿入し、この孔から突出した支軸１５０の先端をカバー本体１３５の穴１５４内に嵌合し、これにより球送り部材１２５が外れないようにする。すると、球送り部材１２５のボス１５１´の先端と摺接面との最小限の面積だけが取付ベース部材１００の前面及び球当接面１４０と接触することになる。したがって、球送り部材１２５が作動する際の摩擦抵抗を小さく抑えることができ、僅かな駆動力で確実に球送り作動を行わせることができる。
【０１２８】
また、この球送り部材１２５は、球送り動作の時に回動する範囲がストッパにより規制される。本実施形態においては、図７１に示すように、カバー本体１３５からボスあるいは柱状のフロントストッパ１５５とバックストッパ１５６とを取付ベース部材１００に向けて突設してある。したがって、カバー本体１３５を取付ベース部材１００にねじ止めすると、両ストッパ１５５，１５６の先端が取付ベース部材１００の表面に当接してカバー本体１３５と取付ベース部材１００との間の間隔を所定寸法となるように確保するとともに、フロントストッパ１５５が球送り部材１２５の最前進位置を、バックストッパ１５６が最後退位置を規制する所定位置に配置される。なお、バックストッパ１５６は、球送り部材１２５が球受入部１４７内に遊技球を円滑に受け入れられる位置に合わせて停止させる位置決め部材４４０としても機能する。
【０１２９】
次に、この球送り装置７１の作用を発射装置１４の作動と共に説明する。なお、説明の都合上、球送り部材１２５の球受入空部１４７内には球案内流路５７で１列に整列した遊技球列の最先の遊技球が１個受け入れられ、次の遊技球は最先の遊技球に当たった状態で待機しているものとする。
【０１３０】
発射カム１１６が図６７中反時計方向に回転すると、当接部材である第２ケーシング１０８ｂのカムフォロワ１１４の発射カム１１６に対する接触位置が次第に発射カム１１６の先端に次第に近づく方向に回動し、これにより第２ケーシング１０８ｂがばね１０９の戻り力に抗して図５１中時計方向に回動し、発射杵１０２が杵先１０２ｂを遊技球発射位置１０４から後退する方向に回動する。この様にして発射杵１０２が後退する間、連動伝達部材１１８は連動カム当接部１２２が第２ケーシング１０８ｂの連動部１１７に当接した状態を維持するので、図６６に示すように、伝達軸１２３が係合穴１４９内の一端に位置する。したがって、球送り部材１２５は、下端がバックストッパ１５６に当たって球受入空部１４７内に遊技球を１個受け入れてほぼ垂直になった状態（受入状態）を維持する。
【０１３１】
発射カム１１６がさらに回転すると、発射カム１１６の先端近傍にカムフォロワ１１４が当接して発射杵１０２が最も後退する。この状態においても連動カム当接部１２２が第２ケーシング１０８ｂの連動部１１７に当接した状態を維持するので、球送り部材１２５は下端がバックストッパ１５６に当たってほぼ垂直に位置する状態を維持する。
【０１３２】
発射カム１１６がさらに回転するとカムフォロワ１１４が発射カム１１６の先端から外れるので、第２ケーシング１０８ｂがばね１０９の復元力により図６９中反時計方向に戻り回動し、これにより発射杵１０２が杵先１０２ｂを遊技球発射位置１０４に近づける方向に戻り回動し、十分に戻り回動すると杵先１０２ｂが遊技球発射位置１０４に停止していた遊技球を発射する。
【０１３３】
カムフォロワ１１４が発射カム１１６の先端から外れた時点で連動カム当接部１２２は第２ケーシング１０８ｂの連動部１１７に当接したままなので球送り部材１２５はほぼ垂直に位置する状態のままだが、第２ケーシング１０８ｂが少し戻り回動すると連動カム当接部１２２が第２ケーシング１０８ｂの連動部１１７から外れる。すると、連動伝達部材１１８は、錘１２１の付勢により上端の回動軸１２０を中心にして下端を遊技球発射位置１０４に近づける方向（図６９中時計方向）に戻り回動する。
【０１３４】
連動伝達部材１１８が戻り回動すると、伝達軸１２３も遊技球発射位置１０４側に移動するので、球送り部材１２５は、支軸１５０を中心にして下端を球供給口１３１側に近づける方向に回動し、これにより球受入空部１４７が前進して遊技球を上面の球転動面１３２上で転動させながら前方に進める。球送り部材１２５が十分に回動して送出状態に変換すると、球受入空部１４７内の遊技球が上面の球転動面１３２の緩傾斜面から急傾斜面上に移動する。この様にして、球送り部材１２５が送出状態に変換すると、図６８に示すように、この遊技球が球受入空部１４７から外れて下り傾斜した球転動面１３２（急傾斜面）上を流下して球供給口１３１から発射レール１０１上に落下する。
【０１３５】
なお、球供給口１３１から遊技球が発射レール１０１上に落下する時点においては、発射された遊技球が球供給口１３１の下方を既に通過しているので、球供給口１３１から落下した遊技球と発射された遊技球とが衝突することはない。すなわち、カムフォロワ１１４が発射カム１１６から外れる時点よりも連動カム当接部１２２が連動部１１７から外れる時点を遅らせて連動部１１７の位置を設定してあるので、発射杵１０２が戻り回動して遊技球を発射した直後に球送り部材１２５が回動して遊技球を球供給口１３１から発射レール１０１上に供給することができる。
【０１３６】
また、球送り部材１２５が、球受入空部１４７内の遊技球を送り出す状態まで回動すると、図６２に示すように、球案内流路５７内の最先の遊技球は少し進んで球送り部材１２５の待機面１５２に当接した状態で停止して待機する。
【０１３７】
発射レール１０１上に落下した遊技球は、発射レール１０１の傾斜により遊技球発射位置１０４に向けて転動し、球止め面１４３に当接して遊技球発射位置１０４で停止する。
【０１３８】
遊技球が遊技球発射位置１０４に停止すると、その頃には、それまで継続して回転していた発射カム１１６が再度カムフォロワ１１４に当接し、発射カム１１６がさらに回転すると、カムフォロワ１１４が発射カム１１６に押圧されて第２ケーシング１０８ｂが図５１中時計方向に回動し始める。すると、連動伝達部材１１８の連動カム当接部１２２が連動部に当接し、これにより連動伝達部材１１８が錘１２１の付勢に抗して戻り回動し、これに伴って伝達軸１２３が発射方向に前進する。したがって、球送り部材１２５は、伝達軸１２３の前進に伴って下端の球受入空部１４７を後退させる方向に戻り回動する。
【０１３９】
球送り部材１２５が戻り回動すると、待機面１５２に当接した状態で待機していた遊技球が待機面１５２から外れて、図６１に示すように、球受入空部１４７内に受け入れられる。そして、球送り部材１２５はバックストッパ１５６に当接し、所定位置で確実に停止する。なお、球送り部材１２５が戻り回動しても、待機面１５２に当接して待機していた遊技球は、球供給口１３１とは反対側が流路の壁などの部材により移動が阻止されているので、球送り部材１２５の下端部分の後退に伴って後退することはない。
【０１４０】
この様にして、球送り部材１２５の球受入空部１４７内に遊技球が受け入れられると、図６６に示す状態に戻り、さらに発射カム１１６が回転すると発射杵１０２が最も後退した位置に近づき、さらに発射カム１１６が回転するとカムフォロワ１１４が発射カム１１６から外れ、発射杵１０２がばね１９の復元力により戻り回動して遊技球発射位置１０４にある遊技球を発射する。
【０１４１】
そして、球送り装置７１と発射装置１４は、上述した発射動作とこれに連動した球送り動作を繰り返すことにより遊技球を１個ずつ発射することができ、発射された遊技球は、発射レール１０１上を上昇し、その後、遊技盤５のガイドレールに案内されて打球案内流路５７内を上昇して遊技領域６内に飛入し、遊技に供される。
【０１４２】
なお、図６５に示すように、発射カム１１６のボスの外周面に鋸歯状の溝１６０を複数形成し、この溝１６０にラチェットレバー１６１の先端を係止し、ラチェットの原理を利用して発射カム１１６の逆転を防止している。したがって、１回の発射動作で球送り装置７１が２個以上の遊技球を供給する不都合を防止している。
【０１４３】
上述した様に、球供給口１３１を発射レール１０１の直上に配置し、且つ遊技球を発射レール１０１の長手方向に送ると、球送り部材１２５の球受入空部１４７内の遊技球が球転動面１３２上を転動しながら球供給口１３１から発射レール１０１上に落下し、その後、発射レール１０１上を反対方向に転動して遊技球発射位置１０４で停止するまでの間、遊技球の回転方向（自転方向）は、発射レール１０１の長手方向を前進または後退する方向に回転（前後方向の回転）するだけであって、発射レール１０１の幅方向に移動する方向の回転（横方向の回転）は加えられない。また、その間、遊技球に対して発射レール１０１の幅方向の外力が加えられない。したがって、遊技球発射位置１０４に供給された遊技球は、暴れることなく遊技球発射位置１０４に速やかに停止する。このため、遊技球と発射杵１０２との衝接状態が安定して、発射球のむら飛びを防止できる。換言すると、遊技球発射位置１０４への遊技球の座りが良好なので、発射が安定する。
【０１４４】
上記した実施形態は、代表的な遊技機であるパチンコ機１を例に挙げて説明したが、本発明はこれに限らず、遊技球を貯留可能な貯留皿を備えた遊技機であればどのような遊技機でもよい。例えば、内部に封入した遊技球を循環させる封入球式パチンコ機、アレンジボール式遊技機、雀球式遊技機等の遊技機であってもよい。
【０１４５】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。例えば、前記実施形態では透明部材保持枠の前面に形成したユニット取付部（ユニット収納室）に貸し球スイッチユニット８１１を設けたが、上皿にユニット取付部を設けて該ユニット取付部に設けても良い。具体的には、外部操作部７５を設けた部分に貸し球スイッチユニット８１１を設けても良い。
【符号の説明】
【０１４６】
１  パチンコ機
５  遊技盤
６  遊技領域
８  透明部材保持枠
１０  上皿ユニット（球貯留皿）
２８  球排出装置
４８  上皿
７５  外部操作部
８０１  操作釦
８０１ａ  貸し球用操作釦
８０１ｂ  返却用操作釦
８０５  保持枠本体
８１１  貸し球スイッチユニット
８１３  ユニット収納室
８２０  ユニットケース
８２１  スイッチ
８２２  ケース本体
８２３  裏蓋部材
８２４  配線基板
８２５  セグメント表示器
８２６  発光素子
８２７  コネクタ
８３３  係合腕
８３４  係合部
８３５  係止部
８３６  係止爪部
８３７  係止爪受部
８３８  ユニット係合爪部
８３９  釦ベース
８５４  係合受部
【図１】
0005802897.tif 000002
【図２】
0005802897.tif 000003
【図３】
0005802897.tif 000004
【図４】
0005802897.tif 000005
【図５】
0005802897.tif 000006
【図６】
0005802897.tif 000007
【図７】
0005802897.tif 000008
【図８】
0005802897.tif 000009
【図９】
0005802897.tif 000010
【図１０】
0005802897.tif 000011
【図１１】
0005802897.tif 000012
【図１２】
0005802897.tif 000013
【図１３】
0005802897.tif 000014
【図１４−１】
0005802897.tif 000015
【図１４−２】
0005802897.tif 000016
【図１４−３】
0005802897.tif 000017
【図１５】
0005802897.tif 000018
【図１６】
0005802897.tif 000019
【図１７】
0005802897.tif 000020
【図１８】
0005802897.tif 000021
【図１９】
0005802897.tif 000022
【図２０】
0005802897.tif 000023
【図２１】
0005802897.tif 000024
【図２２】
0005802897.tif 000025
【図２３】
0005802897.tif 000026
【図２４】
0005802897.tif 000027
【図２５】
0005802897.tif 000028
【図２６】
0005802897.tif 000029
【図２７】
0005802897.tif 000030
【図２８】
0005802897.tif 000031
【図２９】
0005802897.tif 000032
【図３０】
0005802897.tif 000033
【図３１】
0005802897.tif 000034
【図３２】
0005802897.tif 000035
【図３３】
0005802897.tif 000036
【図３４】
0005802897.tif 000037
【図３５】
0005802897.tif 000038
【図３６】
0005802897.tif 000039
【図３７】
0005802897.tif 000040
【図３８】
0005802897.tif 000041
【図３９】
0005802897.tif 000042
【図４０】
0005802897.tif 000043
【図４１】
0005802897.tif 000044
【図４２】
0005802897.tif 000045
【図４３】
0005802897.tif 000046
【図４４】
0005802897.tif 000047
【図４５】
0005802897.tif 000048
【図４６】
0005802897.tif 000049
【図４７】
0005802897.tif 000050
【図４８】
0005802897.tif 000051
【図４９】
0005802897.tif 000052
【図５０】
0005802897.tif 000053
【図５１】
0005802897.tif 000054
【図５２】
0005802897.tif 000055
【図５３】
0005802897.tif 000056
【図５４】
0005802897.tif 000057
【図５５】
0005802897.tif 000058
【図５６】
0005802897.tif 000059
【図５７】
0005802897.tif 000060
【図５８】
0005802897.tif 000061
【図５９】
0005802897.tif 000062
【図６０】
0005802897.tif 000063
【図６１】
0005802897.tif 000064
【図６２】
0005802897.tif 000065
【図６３】
0005802897.tif 000066
【図６４】
0005802897.tif 000067
【図６５】
0005802897.tif 000068
【図６６】
0005802897.tif 000069
【図６７】
0005802897.tif 000070
【図６８】
0005802897.tif 000071
【図６９】
0005802897.tif 000072
【図７０】
0005802897.tif 000073
【図７１】
0005802897.tif 000074
【図７２】
0005802897.tif 000075
【図７３】
0005802897.tif 000076